(57)【要約】【課題】収納部から搬送部に繰り出された紙幣のうち、天地方向または左右方向の向きが揃った紙幣のみを収納部とは別の箇所に送ることができるため、収納部とは別の箇所に送られた紙幣について向きが揃った状態で処理を行うことができる紙幣処理装置、紙幣処理システムおよび紙幣処理方法を提供する。【解決手段】収納部（例えば、各金種別バラ紙幣収納部３４）から搬送部１８に繰り出された紙幣の天地方向および左右方向のうち少なくともいずれかの方向における向きを特定する方向特定手段３３０が設けられている。ある収納部から搬送部１８に繰り出された紙幣について、方向特定手段３３０により特定された紙幣の向きに基づいて、ある向きの紙幣が別の収納部（例えば、入金一時保留部３０）に送られるとともに別の向きの紙幣が各収納部とは別の箇所（例えば、整理一時保留部４０やバラ紙幣投出部２４）に送られる。【選択図】図８
2018005485.tif 000002
【特許請求の範囲】
【請求項１】
紙幣を搬送する搬送部と、
各々が複数の紙幣を収納する複数の収納部であって、少なくとも１つの前記収納部は、収納されている紙幣を１枚ずつ前記搬送部に繰出可能となっている、複数の収納部と、
前記収納部から前記搬送部に繰り出された紙幣の天地方向および左右方向のうち少なくともいずれかの方向における向きを特定する方向特定手段と、
ある前記収納部から前記搬送部に繰り出された紙幣について、前記方向特定手段により特定された紙幣の天地方向または左右方向における向きに基づいて、ある向きの紙幣を別の前記収納部に送るとともに別の向きの紙幣を各前記収納部とは別の箇所に送るよう前記搬送部を制御する制御部と、
を備えた、紙幣処理装置。
【請求項２】
各前記収納部とは別の箇所に送られた紙幣に関する処理が終了した後に、別の前記収納部に送られた紙幣が元の前記収納部に戻されるようになっている、請求項１記載の紙幣処理装置。
【請求項３】
前記搬送部により搬送される紙幣を識別する識別部を更に備え、
前記方向特定手段は、前記収納部から前記搬送部に繰り出された紙幣が前記識別部により識別されたときに当該識別部による識別結果に基づいて紙幣の天地方向および左右方向のうち少なくともいずれかの方向における向きを特定するようになっている、請求項１または２記載の紙幣処理装置。
【請求項４】
前記収納部に収納されている紙幣の天地方向および左右方向のうち少なくともいずれかの方向における向きに係る情報と、当該収納部への紙幣の収納順序とを関連付けて記憶する記憶部を更に備え、
前記方向特定手段は、前記記憶部に記憶されている情報に基づいて、前記収納部から前記搬送部に繰り出された紙幣の天地方向および左右方向のうち少なくともいずれかの方向における向きを特定するようになっている、請求項１または２記載の紙幣処理装置。
【請求項５】
前記搬送部により搬送される紙幣を識別する識別部を更に備え、
前記収納部に紙幣を収納する際に、前記識別部により識別された紙幣が前記収納部に収納されるようになっており、前記識別部による識別結果に基づく紙幣の天地方向および左右方向のうち少なくともいずれかの方向における向きに係る情報と、前記収納部への当該紙幣の収納順序とが関連付けられて前記記憶部に記憶されるようになっている、請求項４記載の紙幣処理装置。
【請求項６】
前記制御部は、ある前記収納部から前記搬送部に繰り出された紙幣について、前記記憶部に記憶されている情報に基づいて、一方の向きの紙幣および他方の向きの紙幣のうち前記収納部に収納されている数の少ない紙幣を別の前記収納部に送るとともに前記収納部に収納されている数の多い紙幣を各前記収納部とは別の箇所に送るよう前記搬送部を制御する、請求項４または５記載の紙幣処理装置。
【請求項７】
複数の紙幣を帯封媒体によって帯封することにより帯封紙幣を作成する帯封部と、
前記帯封部により帯封されるべき紙幣が集積される集積部と、
を更に備え、
前記制御部は、紙幣の振分整理処理を行う際に、ある前記収納部から前記搬送部に繰り出された紙幣について、前記方向特定手段により特定された紙幣の天地方向または左右方向における向きに基づいて、ある向きの紙幣を別の前記収納部に送るとともに別の向きの紙幣を前記集積部に送るよう前記搬送部を制御する、請求項１乃至６のいずれか一項に記載の紙幣処理装置。
【請求項８】
前記帯封部により作成された帯封紙幣を収納する帯封紙幣収納部を更に備え、
前記制御部に帯封紙幣を含む紙幣の払い出し指令が与えられたときに、前記帯封紙幣収納部に収納されている帯封紙幣が筐体の外部に投出されるようになっている、請求項７記載の紙幣処理装置。
【請求項９】
前記制御部は、紙幣の精査処理を行うとき、所定の時刻となったとき、締め処理を行うとき、所定の条件が満たされたとき、前記制御部に振分整理処理の指令が与えられたときのうちいずれかのタイミングで紙幣の振分整理処理を行うようになっている、請求項７または８記載の紙幣処理装置。
【請求項１０】
前記搬送部から送られた紙幣を筐体の外部に投出する投出部を更に備え、
前記制御部は、紙幣の出金処理を行う際に、ある前記収納部から前記搬送部に繰り出された紙幣について、前記方向特定手段により特定された紙幣の天地方向または左右方向における向きに基づいて、ある向きの紙幣を別の前記収納部に送るとともに別の向きの紙幣を前記投出部に送るよう前記搬送部を制御する、請求項１乃至６のいずれか一項に記載の紙幣処理装置。
【請求項１１】
紙幣を搬送する搬送部と、
各々が複数の紙幣を収納する複数の収納部であって、少なくとも１つの前記収納部は、収納されている紙幣を１枚ずつ前記搬送部に繰出可能となっている、複数の収納部と、
前記搬送部に設けられ、当該搬送部により搬送される紙幣の表裏を反転させる表裏反転部であって、紙幣の表裏が反転させられる際にその天地方向または左右方向の向きが変えられる表裏反転部と、
前記収納部から前記搬送部に繰り出された紙幣の天地方向および左右方向のうち少なくともいずれかの方向における向きを特定する方向特定手段と、
前記収納部から前記搬送部に繰り出された紙幣の表裏の向きを特定する表裏特定手段と、
ある前記収納部から前記搬送部に繰り出された後に前記表裏反転部により反転させられた紙幣について、前記方向特定手段により特定された紙幣の天地方向または左右方向における向きならびに前記表裏特定手段により特定された紙幣の表裏の向きに基づいて、前記表裏反転部により反転させられた後に天地方向または左右方向がある向きとなる紙幣を別の前記収納部に送るとともに天地方向または左右方向が別の向きとなる紙幣を各前記収納部とは別の箇所に送るよう前記搬送部を制御する制御部と、
を備えた、紙幣処理装置。
【請求項１２】
紙幣を搬送する搬送部、および各々が複数の紙幣を収納する複数の収納部であって、少なくとも１つの前記収納部は、収納されている紙幣を１枚ずつ前記搬送部に繰出可能となっている、複数の収納部を有する紙幣処理装置と、
前記紙幣処理装置とは別に設けられ、当該紙幣処理装置の管理を行う管理装置と、
を備えた紙幣処理システムであって、
前記紙幣処理装置において前記収納部から前記搬送部に繰り出された紙幣の天地方向および左右方向のうち少なくともいずれかの方向における向きを特定する方向特定手段と、
前記紙幣処理装置においてある前記収納部から前記搬送部に繰り出された紙幣について、前記方向特定手段により特定された紙幣の天地方向または左右方向における向きに基づいて、ある向きの紙幣を別の前記収納部に送るとともに別の向きの紙幣を各前記収納部とは別の箇所に送るよう前記搬送部を制御する制御部と、
を備えた、紙幣処理システム。
【請求項１３】
前記方向特定手段および前記制御部のうち少なくともいずれか一方が前記管理装置に設けられている、請求項１２記載の紙幣処理システム。
【請求項１４】
紙幣を搬送する搬送部、および各々が複数の紙幣を収納する複数の収納部を有する紙幣処理装置による紙幣処理方法であって、
前記収納部から前記搬送部に紙幣を１枚ずつ繰り出す工程と、
前記収納部から前記搬送部に繰り出された紙幣の天地方向および左右方向のうち少なくともいずれかの方向における向きを特定する工程と、
ある前記収納部から前記搬送部に繰り出された紙幣について、特定された紙幣の天地方向または左右方向における向きに基づいて、ある向きの紙幣を別の前記収納部に送るとともに別の向きの紙幣を各前記収納部とは別の箇所に送る工程と、
を備えた、紙幣処理方法。
【請求項１５】
各前記収納部とは別の箇所に送られた紙幣の処理が終了した後に、別の前記収納部に送られた紙幣を元の前記収納部に戻す工程を更に備えた、請求項１４記載の紙幣処理方法。
【発明の詳細な説明】
【技術分野】
【０００１】
本発明は、紙幣の帯封処理や出金処理を行う紙幣処理装置、このような紙幣処理装置を備えた紙幣処理システムおよびこのような紙幣処理装置による紙幣処理方法に関する。
【背景技術】
【０００２】
紙幣の入金処理や出金処理等の様々な処理を行う紙幣処理装置として従来から様々なタイプのもの知られている（例えば、特許文献１等参照）。特許文献１に開示される紙幣処理装置では、紙幣の出金処理を行う際に、出金されるべき紙幣を識別部によって識別することにより当該紙幣の天地方向を特定し、ある向きの紙幣を入出金部等の第１投出口に送るとともに別の向きの紙幣を入金リジェクト部等の第２投出口に送るようになっている。そして、操作者は、例えば第２投出口から投出された紙幣の天地方向の向きを変えた後に、第１投出口から投出された紙幣と重ね合わせることで、出金紙幣として天地方向が揃った紙幣束を手に入れることができるようになる。
【先行技術文献】
【特許文献】
【０００３】
【特許文献１】特開２０１５−０４１１３３号公報
【発明の概要】
【発明が解決しようとする課題】
【０００４】
特許文献１に開示されるような従来の紙幣処理装置では、紙幣の出金処理を行う際に２つの投出口に紙幣が払い出されるため、一方の投出口から紙幣を取り出し忘れてしまうおそれがあった。また、操作者が例えば第２投出口から投出された紙幣の天地方向の向きを変えることを忘れてしまった場合には、第２投出口から投出された紙幣を第１投出口から投出された紙幣と重ね合わせたときに天地方向が混在した紙幣束となってしまうという問題があった。
【０００５】
本発明は、このような点を考慮してなされたものであり、収納部から搬送部に繰り出された紙幣のうち、天地方向または左右方向の向きが揃った紙幣のみを収納部とは別の箇所に送ることができるため、収納部とは別の箇所に送られた紙幣について向きが揃った状態で処理を行うことができる紙幣処理装置、紙幣処理システムおよび紙幣処理方法を提供することを目的とする。
【課題を解決するための手段】
【０００６】
本発明の紙幣処理装置は、紙幣を搬送する搬送部と、各々が複数の紙幣を収納する複数の収納部であって、少なくとも１つの前記収納部は、収納されている紙幣を１枚ずつ前記搬送部に繰出可能となっている、複数の収納部と、前記収納部から前記搬送部に繰り出された紙幣の天地方向および左右方向のうち少なくともいずれかの方向における向きを特定する方向特定手段と、ある前記収納部から前記搬送部に繰り出された紙幣について、前記方向特定手段により特定された紙幣の天地方向または左右方向における向きに基づいて、ある向きの紙幣を別の前記収納部に送るとともに別の向きの紙幣を各前記収納部とは別の箇所に送るよう前記搬送部を制御する制御部と、を備えたことを特徴とする。
【０００７】
このような紙幣処理装置によれば、収納部から搬送部に繰り出された紙幣の天地方向および左右方向のうち少なくともいずれかの方向における向きを特定するようになっており、ある収納部から搬送部に繰り出された紙幣について、この特定された天地方向または左右方向の向きに基づいて、ある向きの紙幣を別の収納部に送るとともに別の向きの紙幣を各収納部とは別の箇所に送ることにより、収納部から搬送部に繰り出された紙幣のうち、天地方向または左右方向の向きが揃った紙幣のみを収納部とは別の箇所に送ることができるため、収納部とは別の箇所に送られた紙幣について向きが揃った状態で処理を行うことができる。
【０００８】
本発明の紙幣処理装置においては、各前記収納部とは別の箇所に送られた紙幣に関する処理が終了した後に、別の前記収納部に送られた紙幣が元の前記収納部に戻されるようになっていてもよい。
【０００９】
本発明の紙幣処理装置は、前記搬送部により搬送される紙幣を識別する識別部を更に備え、前記方向特定手段は、前記収納部から前記搬送部に繰り出された紙幣が前記識別部により識別されたときに当該識別部による識別結果に基づいて紙幣の天地方向および左右方向のうち少なくともいずれかの方向における向きを特定するようになっていてもよい。
【００１０】
あるいは、本発明の紙幣処理装置は、前記収納部に収納されている紙幣の天地方向および左右方向のうち少なくともいずれかの方向における向きに係る情報と、当該収納部への紙幣の収納順序とを関連付けて記憶する記憶部を更に備え、前記方向特定手段は、前記記憶部に記憶されている情報に基づいて、前記収納部から前記搬送部に繰り出された紙幣の天地方向および左右方向のうち少なくともいずれかの方向における向きを特定するようになっていてもよい。
【００１１】
この場合、本発明の紙幣処理装置は、前記搬送部により搬送される紙幣を識別する識別部を更に備え、前記収納部に紙幣を収納する際に、前記識別部により識別された紙幣が前記収納部に収納されるようになっており、前記識別部による識別結果に基づく紙幣の天地方向および左右方向のうち少なくともいずれかの方向における向きに係る情報と、前記収納部への当該紙幣の収納順序とが関連付けられて前記記憶部に記憶されるようになっていてもよい。
【００１２】
また、前記制御部は、ある前記収納部から前記搬送部に繰り出された紙幣について、前記記憶部に記憶されている情報に基づいて、一方の向きの紙幣および他方の向きの紙幣のうち前記収納部に収納されている数の少ない紙幣を別の前記収納部に送るとともに前記収納部に収納されている数の多い紙幣を各前記収納部とは別の箇所に送るよう前記搬送部を制御するようになっていてもよい。
【００１３】
本発明の紙幣処理装置は、複数の紙幣を帯封媒体によって帯封することにより帯封紙幣を作成する帯封部と、前記帯封部により帯封されるべき紙幣が集積される集積部と、を更に備え、前記制御部は、紙幣の振分整理処理を行う際に、ある前記収納部から前記搬送部に繰り出された紙幣について、前記方向特定手段により特定された紙幣の天地方向または左右方向における向きに基づいて、ある向きの紙幣を別の前記収納部に送るとともに別の向きの紙幣を前記集積部に送るよう前記搬送部を制御するようになっていてもよい。
【００１４】
この場合、本発明の紙幣処理装置は、前記帯封部により作成された帯封紙幣を収納する帯封紙幣収納部を更に備え、前記制御部に帯封紙幣を含む紙幣の払い出し指令が与えられたときに、前記帯封紙幣収納部に収納されている帯封紙幣が筐体の外部に投出されるようになっていてもよい。
【００１５】
また、前記制御部は、紙幣の精査処理を行うとき、所定の時刻となったとき、締め処理を行うとき、所定の条件が満たされたとき、前記制御部に振分整理処理の指令が与えられたときのうちいずれかのタイミングで紙幣の振分整理処理を行うようになっていてもよい。
【００１６】
本発明の紙幣処理装置は、前記搬送部から送られた紙幣を筐体の外部に投出する投出部を更に備え、前記制御部は、紙幣の出金処理を行う際に、ある前記収納部から前記搬送部に繰り出された紙幣について、前記方向特定手段により特定された紙幣の天地方向または左右方向における向きに基づいて、ある向きの紙幣を別の前記収納部に送るとともに別の向きの紙幣を前記投出部に送るよう前記搬送部を制御するようになっていてもよい。
【００１７】
本発明の紙幣処理装置は、紙幣を搬送する搬送部と、各々が複数の紙幣を収納する複数の収納部であって、少なくとも１つの前記収納部は、収納されている紙幣を１枚ずつ前記搬送部に繰出可能となっている、複数の収納部と、前記搬送部に設けられ、当該搬送部により搬送される紙幣の表裏を反転させる表裏反転部であって、紙幣の表裏が反転させられる際にその天地方向または左右方向の向きが変えられる表裏反転部と、前記収納部から前記搬送部に繰り出された紙幣の天地方向および左右方向のうち少なくともいずれかの方向における向きを特定する方向特定手段と、前記収納部から前記搬送部に繰り出された紙幣の表裏の向きを特定する表裏特定手段と、ある前記収納部から前記搬送部に繰り出された後に前記表裏反転部により反転させられた紙幣について、前記方向特定手段により特定された紙幣の天地方向または左右方向における向きならびに前記表裏特定手段により特定された紙幣の表裏の向きに基づいて、前記表裏反転部により反転させられた後に天地方向または左右方向がある向きとなる紙幣を別の前記収納部に送るとともに天地方向または左右方向が別の向きとなる紙幣を各前記収納部とは別の箇所に送るよう前記搬送部を制御する制御部と、を備えたことを特徴とする。
【００１８】
このような紙幣処理装置によれば、収納部から搬送部に繰り出された後に表裏反転部により反転させられた紙幣について、方向特定手段により特定された紙幣の天地方向または左右方向における向きならびに表裏特定手段により特定された紙幣の表裏の向きに基づいて、表裏反転部により反転させられた後に天地方向または左右方向がある向きとなる紙幣を別の収納部に送るとともに天地方向または左右方向が別の向きとなる紙幣を各収納部とは別の箇所に送ることにより、収納部から搬送部に繰り出された紙幣のうち、天地方向または左右方向の向きが揃った紙幣のみを収納部とは別の箇所に送ることができるため、収納部とは別の箇所に送られた紙幣について向きが揃った状態で処理を行うことができる。
【００１９】
本発明の紙幣処理システムは、紙幣を搬送する搬送部、および各々が複数の紙幣を収納する複数の収納部であって、少なくとも１つの前記収納部は、収納されている紙幣を１枚ずつ前記搬送部に繰出可能となっている、複数の収納部を有する紙幣処理装置と、前記紙幣処理装置とは別に設けられ、当該紙幣処理装置の管理を行う管理装置と、を備えた紙幣処理システムであって、前記紙幣処理装置において前記収納部から前記搬送部に繰り出された紙幣の天地方向および左右方向のうち少なくともいずれかの方向における向きを特定する方向特定手段と、前記紙幣処理装置においてある前記収納部から前記搬送部に繰り出された紙幣について、前記方向特定手段により特定された紙幣の天地方向または左右方向における向きに基づいて、ある向きの紙幣を別の前記収納部に送るとともに別の向きの紙幣を各前記収納部とは別の箇所に送るよう前記搬送部を制御する制御部と、を備えたことを特徴とする。
【００２０】
このような紙幣処理システムによれば、紙幣処理装置において収納部から搬送部に繰り出された紙幣の天地方向および左右方向のうち少なくともいずれかの方向における向きを特定するようになっており、ある収納部から搬送部に繰り出された紙幣について、この特定された天地方向または左右方向の向きに基づいて、ある向きの紙幣を別の収納部に送るとともに別の向きの紙幣を各収納部とは別の箇所に送ることにより、収納部から搬送部に繰り出された紙幣のうち、天地方向または左右方向の向きが揃った紙幣のみを収納部とは別の箇所に送ることができるため、収納部とは別の箇所に送られた紙幣について向きが揃った状態で処理を行うことができる。
【００２１】
本発明の紙幣処理システムにおいては、前記方向特定手段および前記制御部のうち少なくともいずれか一方が前記管理装置に設けられていてもよい。
【００２２】
本発明の紙幣処理方法は、紙幣を搬送する搬送部、および各々が複数の紙幣を収納する複数の収納部を有する紙幣処理装置による紙幣処理方法であって、前記収納部から前記搬送部に紙幣を１枚ずつ繰り出す工程と、前記収納部から前記搬送部に繰り出された紙幣の天地方向および左右方向のうち少なくともいずれかの方向における向きを特定する工程と、ある前記収納部から前記搬送部に繰り出された紙幣について、特定された紙幣の天地方向または左右方向における向きに基づいて、ある向きの紙幣を別の前記収納部に送るとともに別の向きの紙幣を各前記収納部とは別の箇所に送る工程と、を備えたことを特徴とする。
【００２３】
このような紙幣処理方法によれば、ある収納部から搬送部に繰り出された紙幣について、特定された紙幣の天地方向または左右方向における向きに基づいて、ある向きの紙幣を別の収納部に送るとともに別の向きの紙幣を各収納部とは別の箇所に送ることにより、収納部から搬送部に繰り出された紙幣のうち、天地方向または左右方向の向きが揃った紙幣のみを収納部とは別の箇所に送ることができるため、収納部とは別の箇所に送られた紙幣について向きが揃った状態で処理を行うことができる。
【００２４】
本発明の紙幣処理方法は、各前記収納部とは別の箇所に送られた紙幣の処理が終了した後に、別の前記収納部に送られた紙幣を元の前記収納部に戻す工程を更に備えていてもよい。
【発明の効果】
【００２５】
本発明の紙幣処理装置、紙幣処理システムおよび紙幣処理方法によれば、収納部から搬送部に繰り出された紙幣のうち、天地方向または左右方向の向きが揃った紙幣のみを収納部とは別の箇所に送ることができるため、収納部とは別の箇所に送られた紙幣について向きが揃った状態で処理を行うことができる。
【図面の簡単な説明】
【００２６】
【図１】本発明の実施の形態による貨幣入出金機の外観を示す斜視図である。
【図２】図１に示す貨幣入出金機における紙幣入出金装置を右側方から見たときの内部構成を概略的に示す概略構成図である。
【図３】図１に示す貨幣入出金機における制御系の構成を示す機能ブロック図である。
【図４】図１に示す貨幣入出金機の紙幣入出金装置においてバラ紙幣の振分整理処理が行われる際のバラ紙幣の搬送経路を順に示す説明図である。
【図５】図１に示す貨幣入出金機の紙幣入出金装置においてバラ紙幣の出金処理が行われる際のバラ紙幣の搬送経路を順に示す説明図である。
【図６】図１に示す貨幣入出金機の紙幣入出金装置においてバラ紙幣の振分整理処理や出金処理が行われた後に入金一時保留部から混合バラ紙幣収納部や各金種別バラ紙幣収納部にバラ紙幣が戻される際のバラ紙幣の搬送経路を順に示す説明図である。
【図７】図１に示す貨幣入出金機の紙幣入出金装置においてバラ紙幣投入部にバラ紙幣がその短手方向に沿って投入される際のバラ紙幣の様々な向きを示す説明図である。
【図８】図１に示す貨幣入出金機の紙幣入出金装置においてバラ紙幣がその短手方向に沿って搬送される場合に、バラ紙幣の振分整理処理や出金処理が行われる際に混合バラ紙幣収納部や各金種別バラ紙幣収納部から繰り出されたバラ紙幣の向きと搬送先との関係を示す説明図である。
【図９】図１に示す貨幣入出金機の紙幣入出金装置においてバラ紙幣投入部にバラ紙幣がその長手方向に沿って投入される際のバラ紙幣の様々な向きを示す説明図である。
【図１０】図１に示す貨幣入出金機の紙幣入出金装置においてバラ紙幣がその長手方向に沿って搬送される場合に、バラ紙幣の振分整理処理や出金処理が行われる際に混合バラ紙幣収納部や各金種別バラ紙幣収納部から繰り出されたバラ紙幣の向きと搬送先との関係を示す説明図である。
【図１１】変形例に係る紙幣処理装置を側方から見たときの内部構成を示す側面図である。
【図１２】図１１に示す紙幣処理装置におけるにおける制御系の構成を示す機能ブロック図である。
【発明を実施するための形態】
【００２７】
以下、図面を参照して本発明の実施の形態について説明する。図１乃至図１０は、本実施の形態による貨幣入出金機を示す図である。このうち、図１は、本実施の形態による貨幣入出金機の外観を示す斜視図であり、図２は、図１に示す貨幣入出金機における紙幣入出金装置を右側方から見たときの内部構成を概略的に示す概略構成図であり、図３は、図１に示す貨幣入出金機における制御系の構成を示す機能ブロック図である。また、図４および図５は、それぞれ、図１に示す貨幣入出金機の紙幣入出金装置においてバラ紙幣の振分整理処理や出金処理が行われる際のバラ紙幣の搬送経路を順に示す説明図であり、図６は、図１に示す貨幣入出金機の紙幣入出金装置においてバラ紙幣の振分整理処理や出金処理が行われた後に入金一時保留部から混合バラ紙幣収納部や各金種別バラ紙幣収納部にバラ紙幣が戻される際のバラ紙幣の搬送経路を順に示す説明図である。また、図７は、図１に示す貨幣入出金機の紙幣入出金装置においてバラ紙幣投入部にバラ紙幣がその短手方向に沿って投入される際のバラ紙幣の様々な向きを示す説明図であり、図１に示す貨幣入出金機の紙幣入出金装置においてバラ紙幣がその短手方向に沿って搬送される場合に、バラ紙幣の振分整理処理や出金処理が行われる際に混合バラ紙幣収納部や各金種別バラ紙幣収納部から繰り出されたバラ紙幣の向きと搬送先との関係を示す説明図である。また、図９は、図１に示す貨幣入出金機の紙幣入出金装置においてバラ紙幣投入部にバラ紙幣がその長手方向に沿って投入される際のバラ紙幣の様々な向きを示す説明図であり、図１０は、図１に示す貨幣入出金機の紙幣入出金装置においてバラ紙幣がその長手方向に沿って搬送される場合に、バラ紙幣の振分整理処理や出金処理が行われる際に混合バラ紙幣収納部や各金種別バラ紙幣収納部から繰り出されたバラ紙幣の向きと搬送先との関係を示す説明図である。
【００２８】
図１に示すように、本実施の形態による貨幣入出金機１は、紙幣入出金装置１０および硬貨入出金装置１１０が左右に並ぶよう配置されることにより構成されている。ここで、本実施の形態による貨幣入出金機１における紙幣入出金装置１０は、バラ紙幣の入金処理や出金処理を行うことができるとともに、機体内で所定枚数（例えば、１００枚）のバラ紙幣から帯封紙幣を作成したりこの作成された帯封紙幣の出金処理を行ったりすることができるようになっている。また、本実施の形態による貨幣入出金機１における硬貨入出金装置１１０は、バラ硬貨の入金処理や出金処理を行うことができるとともに、機体内で所定枚数（例えば、５０枚）のバラ硬貨に紙やフィルム等の包装媒体を巻くことにより包装硬貨を作成したりこの作成された包装硬貨の出金処理を行ったりすることができるようになっている。このような貨幣入出金機１は、例えば、銀行等の金融機関（より詳細には、金融機関の事務所スペース）に設置され、金融機関の行員等により利用されるようになっている。なお、貨幣入出金機１における紙幣入出金装置１０および硬貨入出金装置１１０のうち硬貨入出金装置１１０の詳細な説明は省略する。
【００２９】
本実施の形態による貨幣入出金機１における紙幣入出金装置１０の構成について図１および図２を用いて説明する。図１および図２に示すように、紙幣入出金装置１０は略直方体形状の筐体１２を有しており、この筐体１２の前面には、筐体１２の外部から内部にバラ紙幣を入金するための投入部１４、筐体１２の内部から外部にバラ紙幣を出金するためのバラ紙幣投出部２４、筐体１２の内部から外部に帯封紙幣を出金するための帯封紙幣投出部４８がそれぞれ設けられている。なお、図２における筐体１２の左側の側面が紙幣入出金装置１０の前面側（すなわち、図１に示すように紙幣入出金装置１０を手前側から見たときの正面側）となっており、図２における右方向が筐体１２の奥行き方向となっている。
【００３０】
図１に示すように、投入部１４の前面は筐体１２の外部に開口しており、操作者はこの開口を介して投入部１４の内部にアクセスする（具体的には、投入部１４の内部に手を入れる）ことができるようになっている。このことにより、操作者は投入部１４の内部にバラ紙幣の束を投入することができるようになる。
【００３１】
一方、バラ紙幣投出部２４および帯封紙幣投出部４８にはそれぞれシャッター２４ａ、４８ａが設けられており、これらのシャッター２４ａ、４８ａは、バラ紙幣投出部２４の前面に面する開口（すなわち、バラ紙幣の出金口）や帯封紙幣投出部４８の前面に面する開口（すなわち、帯封紙幣の出金口）をそれぞれ開閉するようになっている。そして、シャッター２４ａ、４８ａによりバラ紙幣投出部２４や帯封紙幣投出部４８の開口が開かれると、操作者はバラ紙幣投出部２４や帯封紙幣投出部４８の内部にそれぞれアクセスする（具体的には、バラ紙幣投出部２４や帯封紙幣投出部４８の内部に手を入れる）ことができるようになり、当該操作者はバラ紙幣投出部２４や帯封紙幣投出部４８に集積されているバラ紙幣や帯封紙幣を筐体１２の内部から外部に取り出すことができるようになる。これらのシャッター２４ａ、４８ａはシャッター駆動部２４ｂ、４８ｂ（図３参照）によりそれぞれ駆動されるようになっている。
【００３２】
なお、本実施の形態による紙幣入出金装置１０では、バラ紙幣投出部２４は、バラ紙幣の出金処理が行われる際にバラ紙幣を筐体１２の外部に排出するための出金部として機能するとともに、入金処理時に後述する識別部２０により識別することができなかったバラ紙幣や、識別部２０により正常なバラ紙幣ではないと識別されたバラ紙幣を筐体１２の外部に排出するための入金リジェクト部として機能するようになっている。
【００３３】
また、図２に示すように、筐体１２の前面におけるバラ紙幣投出部２４の下方には、紙幣入出金装置１０においてバラ紙幣の出金処理が行われる際にバラ紙幣投出部２４により筐体１２の外部に出金すべきではないと判断されたバラ紙幣が集積される出金リジェクト部２６が設けられている。出金リジェクト部２６の前面は筐体１２の外部に開口しておらず、操作者は筐体１２から紙幣入出金装置１０の本体部分を手前側に引き出さない限りこの出金リジェクト部２６にアクセスすることができないようになっている。
【００３４】
図２に示すように、投入部１４には、当該投入部１４に投入されたバラ紙幣を１枚ずつ筐体１２の内部に繰り出すための繰出部１６が設けられている。また、紙幣入出金装置１０の筐体１２の内部には、当該筐体１２内でバラ紙幣を１枚ずつ搬送する搬送部１８が設けられており、繰出部１６により投入部１４から繰り出されたバラ紙幣は搬送部１８により筐体１２内で搬送されるようになっている。また、搬送部１８には識別部２０が設けられており、搬送部１８により搬送されるバラ紙幣は識別部２０によりその金種、真偽、表裏、正損、新旧、搬送状態等が識別されるようになっている。また、搬送部１８には表裏反転部２２が設けられており、識別部２０により識別されたバラ紙幣は表裏反転部２２によりその表裏が揃うように反転させられるようになっている。ここで、表裏反転部２２によりバラ紙幣の表裏が反転させられる際にその天地方向または左右方向の向きが変えられるようになっている。具体的には、搬送部１８によりバラ紙幣がその短手方向に沿って搬送される場合には、表裏反転部２２によりバラ紙幣の表裏が反転させられる際にその天地方向の向きが変えられるようになっている（図８参照）。また、搬送部１８によりバラ紙幣がその長手方向に沿って搬送される場合には、表裏反転部２２によりバラ紙幣の表裏が反転させられる際にその左右方向の向きが変えられるようになっている（図１０参照）。
【００３５】
また、図２に示すように、筐体１２の内部には、各々が複数のバラ紙幣を積層状態で収納する複数の収納部２９が並列に並ぶよう設けられている。ここで、本実施の形態では、複数の収納部２９として、入金一時保留部３０、混合バラ紙幣収納部３２および複数（図２に示す例では３つ）の金種別バラ紙幣収納部３４が用いられるようになっており、これらの入金一時保留部３０、混合バラ紙幣収納部３２および複数の金種別バラ紙幣収納部３４がそれぞれ搬送部１８に接続されている。そして、搬送部１８からこれらの入金一時保留部３０、混合バラ紙幣収納部３２および各金種別バラ紙幣収納部３４にバラ紙幣が送られるようになっている。ここで、入金一時保留部３０、混合バラ紙幣収納部３２および各金種別バラ紙幣収納部３４にはそれぞれ図２における上下方向に移動可能となっているステージ３０ａ、３２ａ、３４ａが設けられており、これらのステージ３０ａ、３２ａ、３４ａ上でバラ紙幣が積層状態で集積されるようになっている。
【００３６】
また、入金一時保留部３０の上端部の近傍には紙幣繰出繰入部３０ｂが設けられており、当該入金一時保留部３０に一時的に保留されているバラ紙幣は紙幣繰出繰入部３０ｂにより１枚ずつ搬送部１８に繰り出されるようになっている。また、紙幣繰出繰入部３０ｂにより搬送部１８から入金一時保留部３０にバラ紙幣が１枚ずつ繰り入れられるようになっている。ここで、入金一時保留部３０には、バラ紙幣の入金処理において識別部２０により識別されたバラ紙幣が各金種別バラ紙幣収納部３４に収納される前に一時的に保留されるようになっている。
【００３７】
また、混合バラ紙幣収納部３２の上端部の近傍には紙幣繰出繰入部３２ｂが設けられており、混合バラ紙幣収納部３２に収納されているバラ紙幣は紙幣繰出繰入部３２ｂにより１枚ずつ搬送部１８に繰り出されるようになっている。また、紙幣繰出繰入部３２ｂにより搬送部１８から混合バラ紙幣収納部３２にバラ紙幣が１枚ずつ繰り入れられるようになっている。ここで、混合バラ紙幣収納部３２には、各金種別バラ紙幣収納部３４に割り当てられていない金種のバラ紙幣（例えば、二千円紙幣）や損券、ならびに後述するオーバーフロー紙幣等が混合状態で収納されるようになっている。
【００３８】
また、各金種別バラ紙幣収納部３４の上端部の近傍にはそれぞれ紙幣繰出繰入部３４ｂが設けられており、各金種別バラ紙幣収納部３４に収納されているバラ紙幣は紙幣繰出繰入部３４ｂにより１枚ずつ搬送部１８に繰り出されるようになっている。バラ紙幣の出金処理が行われる際に、各金種別バラ紙幣収納部３４から搬送部１８に繰り出されたバラ紙幣が当該搬送部１８により識別部２０に送られ、識別部２０により識別された後にバラ紙幣投出部２４に送られることによって、操作者はバラ紙幣投出部２４から出金紙幣を取り出すことができるようになる。また、各紙幣繰出繰入部３４ｂにより搬送部１８から各金種別バラ紙幣収納部３４にバラ紙幣が１枚ずつ繰り入れられるようになっている。ここで、各金種別バラ紙幣収納部３４には、それぞれ予め設定された特定の金種のバラ紙幣（例えば、千円紙幣、五千円紙幣および一万円紙幣からなる３つの金種のバラ紙幣）が金種毎に収納されるようになっている。
【００３９】
図１および図２に示すように、筐体１２の下部には下部扉１２ａが設けられており、この下部扉１２ａを開くことにより操作者は入金一時保留部３０の内部にアクセスすることができるようになっている。また、入金一時保留部３０、混合バラ紙幣収納部３２および各金種別バラ紙幣収納部３４は、筐体１２の内部から手前側に（すなわち、図２における左方向に）引き出し可能となっている引出ユニット１３に収容されている。そして、操作者が下部扉１２ａを開いて引出ユニット１３を筐体１２の内部から手前側に引き出すことにより、当該操作者は混合バラ紙幣収納部３２や各金種別バラ紙幣収納部３４を引出ユニット１３から取り外したり引出ユニット１３に装着したりすることができるようになる。また、本実施の形態による紙幣入出金装置１０では、引出ユニット１３を筐体１２の内部にロックするためのロック機構５０（図３参照）が設けられている。
【００４０】
また、図２に示すように、搬送部１８には複数（図２に示す例では２つ）の整理一時保留部４０が接続されており、当該搬送部１８から各整理一時保留部４０にバラ紙幣が送られるとこれらの整理一時保留部４０にバラ紙幣が積層状態で集積されるようになっている。また、本実施の形態による紙幣入出金装置１０では、所定枚数（例えば、１００枚）のバラ紙幣からなる紙幣束に帯封紙を巻くことにより帯封紙幣を作成する帯封部４２が各整理一時保留部４０の隣に設けられている。
【００４１】
また、図２に示すように、筐体１２の内部において帯封部４２の近傍にはアーム機構４４が設けられており、当該アーム機構４４は各整理一時保留部４０、帯封部４２および後述する帯封紙幣揚送部４６の間で移動可能となっている。このようなアーム機構４４は、各整理一時保留部４０に集積された所定枚数のバラ紙幣からなる紙幣束を帯封部４２に搬送するようになっている。また、帯封部４２において帯封処理が行われる際に、所定枚数のバラ紙幣からなる紙幣束を保持しているアーム機構４４はこの帯封部４２に移動し、当該帯封部４２においてアーム機構４４の上下一対のアーム部材により挟持された状態にある紙幣束の外周面に帯封紙が巻かれるようになっている。また、帯封部４２において帯封処理が行われた後、アーム機構４４は帯封部４２から帯封紙幣揚送部４６に移動して、この帯封紙幣揚送部４６のステージ４６ａ（後述）上に帯封紙幣を受け渡すことができるようになっている。このような動作を繰り返すことにより、複数の帯封紙幣を帯封紙幣揚送部４６のステージ４６ａ上に集積させることができる。
【００４２】
帯封紙幣揚送部４６には、図２における上下方向に移動可能となっているステージ４６ａが設けられており、帯封部４２により作成された帯封紙幣がアーム機構４４からステージ４６ａ上に受け渡されると、当該ステージ４６ａ上に帯封紙幣が集積されるようになる。そして、アーム機構４４からステージ４６ａ上に帯封紙幣が受け渡された後、ステージ４６ａが図２における上方向に移動することにより帯封紙幣投出部４８と同じ高さレベルに到達し、シャッター４８ａが開くと、操作者は帯封紙幣投出部４８の内部にアクセスしてステージ４６ａ上に集積されている帯封紙幣を筐体１２の外部に取り出すことができるようになる。また、ステージ４６ａが更に上昇すると、当該ステージ４６ａ上に集積されている帯封紙幣を後述する帯封紙幣搬送部６０に受け渡したり、帯封紙幣搬送部６０から帯封紙幣をステージ４６ａ上に集積させたりすることができるようになる。
【００４３】
図２に示すように、筐体１２の内部における上部領域には、複数（図２に示す例では４つ）の帯封紙幣収納部７０が設けられており、これらの帯封紙幣収納部７０には、帯封部４２により作成された帯封紙幣が積層状態で収納されるようになっている。具体的には、各帯封紙幣収納部７０には、それぞれ予め設定された特定の金種の帯封紙幣が収納されるようになっている。なお、予め設定された特定の金種の帯封紙幣が収納される帯封紙幣収納部７０が４つ設けられる代わりに、複数の帯封紙幣収納部７０のうち少なくとも１つの帯封紙幣収納部７０に金種が異なる帯封紙幣が混合状態で収納されるようになっていてもよい。
【００４４】
各帯封紙幣収納部７０の内部にはそれぞれ図２における上下方向に移動可能となっているステージ７０ａが設けられており、帯封紙幣収納部７０の上端部（天井部分）に設けられた開口（図示せず）からこれらの各帯封紙幣収納部７０に送られた帯封紙幣はステージ７０ａ上に積層状態で集積されるようになっている。また、各帯封紙幣収納部７０から帯封紙幣を出す場合には、ステージ７０ａが上昇することにより各帯封紙幣収納部７０の上端部（天井部分）に設けられた開口から帯封紙幣が上方に出されるようになる。
【００４５】
また、これらの各帯封紙幣収納部７０の上方には帯封紙幣の搬送を行う帯封紙幣搬送部６０が設けられている。帯封紙幣搬送部６０は、複数の突起６０ａが等間隔で設けられた循環ベルト６０ｂを有しており、この循環ベルト６０ｂは図２における時計回りの方向および反時計回りの方向の両方向に循環移動することができるようになっている。そして、帯封紙幣搬送部６０により帯封紙幣が搬送される際に、当該帯封紙幣は循環ベルト６０ｂの下面に沿って突起６０ａにより引っ掛けられた状態で図２における左右いずれかの方向に移動するようになる。また、図２に示すように、帯封紙幣搬送部６０による帯封紙幣の搬送路における帯封紙幣揚送部４６の上端と帯封紙幣収納部７０との間には判別部６２が設けられており、帯封紙幣搬送部６０により搬送される帯封紙幣は当該判別部６２によりその金種が判別されるようになっている。
【００４６】
ここで、帯封部４２により作成された帯封紙幣を各帯封紙幣収納部７０に収納させる際には、アーム機構４４から帯封紙幣が帯封紙幣揚送部４６のステージ４６ａ上に受け渡された後に当該ステージ４６ａが上昇して帯封紙幣搬送部６０の近傍の位置まで到達するようになる。また、循環ベルト６０ｂは図２における反時計回りの方向に循環移動する。このことにより、ステージ４６ａ上の帯封紙幣のうち最上位にある帯封紙幣が突起６０ａにより引っ掛けられて循環ベルト６０ｂの下面に沿って図２における右方向に搬送され、判別部６２によりその金種が判別された後、当該判別部６２による判別結果に基づいて対応する各帯封紙幣収納部７０に収納されるようになる。一方、各帯封紙幣収納部７０に収納されている帯封紙幣を帯封紙幣投出部４８により筐体１２の外部に出金する際には、循環ベルト６０ｂは図２における時計回りの方向に循環移動し、各帯封紙幣収納部７０から上方に押し出された最上位の帯封紙幣が突起６０ａにより引っ掛けられて循環ベルト６０ｂの下面に沿って図２における左方向に搬送されるようになる。また、ステージ４６ａが上昇して帯封紙幣搬送部６０の近傍の位置まで到達するようになる。そして、帯封紙幣搬送部６０により搬送される帯封紙幣の金種が判別部６２により判別された後、当該帯封紙幣はステージ４６ａ上に集積される。複数の帯封紙幣を出金する際には、帯封紙幣の送り込みに合わせてステージ４６ａが所定量（具体的には、帯封紙幣の厚み寸法相当）ずつ下降する。ステージ４６ａ上に所定の数の帯封紙幣が集積されると当該ステージ４６ａが帯封紙幣投出部４８と同じ高さレベルに到達し、シャッター４８ａが開く。このことにより、操作者は帯封紙幣投出部４８の内部にアクセスしてステージ４６ａ上に集積されている帯封紙幣を筐体１２の外部に取り出すことができるようになる。
【００４７】
また、本実施の形態の貨幣入出金機１には、当該貨幣入出金機１の各構成部材の制御を行う制御部３００が設けられている。より詳細には、図３に示すように、制御部３００には、紙幣入出金装置１０の投入部１４、繰出部１６、搬送部１８、識別部２０、表裏反転部２２、入金一時保留部３０（具体的には、入金一時保留部３０に設けられたステージ３０ａの駆動機構（図示せず）や紙幣繰出繰入部３０ｂ）、混合バラ紙幣収納部３２（具体的には、混合バラ紙幣収納部３２に設けられたステージ３２ａの駆動機構（図示せず）や紙幣繰出繰入部３２ｂ）、各金種別バラ紙幣収納部３４（具体的には、各金種別バラ紙幣収納部３４に設けられたステージ３４ａの駆動機構（図示せず）や紙幣繰出繰入部３４ｂ）、帯封部４２、アーム機構４４、帯封紙幣揚送部４６、帯封紙幣搬送部６０、判別部６２、各帯封紙幣収納部７０（具体的には、各帯封紙幣収納部７０に設けられたステージ７０ａの駆動機構（図示せず））、ロック機構５０、各シャッター２４ａ、４８ａを開閉させるシャッター駆動部２４ｂ、４８ｂ等がそれぞれ接続されている。そして、識別部２０によるバラ紙幣の識別結果に係る信号や判別部６２による帯封紙幣の金種の判別結果に係る情報等が制御部３００に送られるとともに、制御部３００は紙幣入出金装置１０の各構成部材に指令信号を送ることによりこれらの構成部材の動作を制御するようになっている。
【００４８】
また、図３に示すように、制御部３００には、硬貨入出金装置１１０の各構成部材が制御されるようになっており、当該制御部３００は、硬貨入出金装置１１０の各構成部材に指令の信号を送ることによりこれらの構成部材の動作を制御するようになっている。また、制御部３００には、操作表示部３０２、印字部３０４、記憶部３０６および通信インターフェース部３０８がそれぞれ接続されている。図１に示すように、操作表示部３０２は、例えば硬貨入出金装置１１０の上部に設けられたタッチパネル等からなり、紙幣入出金装置１０や硬貨入出金装置１１０における紙幣や硬貨の処理状況や、紙幣入出金装置１０や硬貨入出金装置１１０に収納されている紙幣や硬貨の在高等の情報を表示するようになっている。また、操作者はこの操作表示部３０２により制御部３００に様々な指令を入力することができるようになっている。また、図１に示すように、印字部３０４は、紙幣入出金装置１０や硬貨入出金装置１１０における紙幣や硬貨の処理状況や、紙幣入出金装置１０や硬貨入出金装置１１０に収納されている紙幣や硬貨の在高等の情報をレシート等に印刷するプリンタ等から構成されている。また、記憶部３０６は、紙幣入出金装置１０や硬貨入出金装置１１０における紙幣や硬貨の処理履歴や、紙幣入出金装置１０や硬貨入出金装置１１０に収納されている紙幣や硬貨の在高等の情報を記憶するようになっている。また、制御部３００は通信インターフェース部３０８を介して上位端末等の外部装置３１０に対して様々な信号の送受信を行うことができるようになっている。
【００４９】
また、図３に示すように、制御部３００には、混合バラ紙幣収納部３２や各金種別バラ紙幣収納部３４から搬送部１８に繰り出されたバラ紙幣の天地方向および左右方向のうち少なくともいずれかの方向における向きを特定する方向特定手段３３０、および混合バラ紙幣収納部３２や各金種別バラ紙幣収納部３４から搬送部１８に繰り出されたバラ紙幣の表裏の向きを特定する表裏特定手段３３２がそれぞれ接続されている。より詳細には、方向特定手段３３０は、混合バラ紙幣収納部３２や各金種別バラ紙幣収納部３４から搬送部１８に繰り出されたバラ紙幣が識別部２０により識別されたときに当該識別部２０による識別結果に基づいてバラ紙幣の天地方向および左右方向のうち少なくともいずれかの方向における向きを特定するようになっている。あるいは、バラ紙幣の入金処理において混合バラ紙幣収納部３２や各金種別バラ紙幣収納部３４に収納される前のバラ紙幣が識別部２０により識別された場合には、識別部２０による識別結果に基づく、混合バラ紙幣収納部３２や各金種別バラ紙幣収納部３４に収納されているバラ紙幣の天地方向および左右方向のうち少なくともいずれかの方向における向きに係る情報と、混合バラ紙幣収納部３２や各金種別バラ紙幣収納部３４へのバラ紙幣の収納順序とが関連付けて記憶部３０６に記憶されるようになっており、方向特定手段３３０は、記憶部３０６に記憶されている情報に基づいて、混合バラ紙幣収納部３２や各金種別バラ紙幣収納部３４から搬送部１８に繰り出されたバラ紙幣の天地方向および左右方向のうち少なくともいずれかの方向における向きを特定するようになっていてもよい。このような方向特定手段３３０の機能の詳細については後述する。
【００５０】
また、表裏特定手段３３２は、混合バラ紙幣収納部３２や各金種別バラ紙幣収納部３４から搬送部１８に繰り出されたバラ紙幣が識別部２０により識別されたときに当該識別部２０による識別結果に基づいてバラ紙幣の表裏の向きを特定するようになっている。あるいは、バラ紙幣の入金処理において混合バラ紙幣収納部３２や各金種別バラ紙幣収納部３４に収納される前のバラ紙幣が識別部２０により識別された場合には、識別部２０による識別結果に基づく、混合バラ紙幣収納部３２や各金種別バラ紙幣収納部３４に収納されているバラ紙幣の表裏の向きに係る情報と、混合バラ紙幣収納部３２や各金種別バラ紙幣収納部３４へのバラ紙幣の収納順序とが関連付けて記憶部３０６に記憶されるようになっており、表裏特定手段３３２は、記憶部３０６に記憶されている情報に基づいて、混合バラ紙幣収納部３２や各金種別バラ紙幣収納部３４から搬送部１８に繰り出されたバラ紙幣の表裏の向きを特定するようになっていてもよい。このような表裏特定手段３３２の機能の詳細については後述する。
【００５１】
次に、このような構成からなる貨幣入出金機１の紙幣入出金装置１０の動作（具体的には、バラ紙幣の入金処理、出金処理および振分整理処理）について説明する。なお、以下に示すような紙幣入出金装置１０の動作は、制御部３００が紙幣入出金装置１０の各構成部材を制御することにより行われるようになっている。
【００５２】
まず、紙幣入出金装置１０においてバラ紙幣の入金処理が行われる際の動作について説明する。紙幣入出金装置１０においてバラ紙幣の入金処理を行うにあたり、操作者が操作表示部３０２により操作者ＩＤの入力を行うと、貨幣の処理内容を選択するためのメニュー画面が操作表示部３０２に表示されるようになる。そして、このような操作表示部３０２のメニュー画面において操作者が貨幣の処理内容として入金処理を選択することによりバラ紙幣の入金処理開始の指令を制御部３００に与えた後、投入部１４に１または複数のバラ紙幣を積層状態で投入すると、投入部１４に投入されたバラ紙幣は１枚ずつ繰出部１６により筐体１２の内部に繰り出され、この繰り出されたバラ紙幣は搬送部１８により識別部２０に搬送される。そして、識別部２０によりバラ紙幣の金種、真偽、表裏、正損、新旧、搬送状態等が識別された後、表裏反転部２２によりその表裏が揃うように反転させられる。
【００５３】
その後、識別部２０により正常な紙幣であると識別されたバラ紙幣は搬送部１８により入金一時保留部３０に送られ、この入金一時保留部３０に保留される。ここで、入金一時保留部３０に送られる前のバラ紙幣は表裏反転部２２によりその表裏が揃うように反転させられるため、入金一時保留部３０に保留されるバラ紙幣はその表裏が揃ったものとなる。一方、識別部２０により正常な紙幣ではないと識別されたバラ紙幣や識別部２０により識別することができなかったバラ紙幣はリジェクト紙幣としてバラ紙幣投出部２４に送られる。また、バラ紙幣投出部２４にバラ紙幣が存在することが図示しない検知センサにより検知されると、このバラ紙幣投出部２４に設けられたシャッター２４ａが開くようになる。このことにより、操作者はバラ紙幣投出部２４からリジェクト紙幣を取り出して投入部１４に再投入等することができるようになる。
【００５４】
そして、投入部１４に投入されたバラ紙幣が全て筐体１２の内部に繰り出されて入金一時保留部３０等に送られることにより投入部１４にバラ紙幣が存在しなくなると、操作表示部３０２には入金確定の指令を操作者に求める画面が表示されるようになる。その後、操作者が操作表示部３０２により入金確定の指令を入力すると、入金されたバラ紙幣の明細書が発行されるとともに、入金一時保留部３０の内部に一時的に保留されているバラ紙幣が紙幣繰出繰入部３０ｂにより搬送部１８に繰り出される。そして、入金一時保留部３０から搬送部１８に繰り出されたバラ紙幣は識別部２０を送られることによりその金種等が識別され、その後、搬送部１８によって各金種別バラ紙幣収納部３４に金種毎に送られ、これらの金種別バラ紙幣収納部３４に金種毎に収納されるようになる。また、識別部２０により識別されたバラ紙幣の金種に対応する金種別バラ紙幣収納部３４がフル状態またはニアフル状態となっている場合には、このバラ紙幣はオーバーフロー紙幣として混合バラ紙幣収納部３２に送られるようになる。ここで、入金一時保留部３０に保留されるバラ紙幣はその表裏が揃ったものとなっているため、混合バラ紙幣収納部３２や各金種別バラ紙幣収納部３４に収納されるバラ紙幣もその表裏が揃ったものとなる。
【００５５】
また、本実施の形態では識別部２０によるバラ紙幣の識別結果に基づくバラ紙幣の天地方向および左右方向のうち少なくともいずれかの方向における向きに係る情報と、混合バラ紙幣収納部３２や各金種別バラ紙幣収納部３４へのバラ紙幣の収納順序（すなわち、何番目に混合バラ紙幣収納部３２や各金種別バラ紙幣収納部３４に収納されたかという情報）とが関連付けて記憶部３０６に記憶されるようになる。より詳細には、搬送部１８によりバラ紙幣がその短手方向に沿って搬送される場合には、識別部２０によるバラ紙幣の識別結果に基づくバラ紙幣の天地方向における向きに係る情報と、混合バラ紙幣収納部３２や各金種別バラ紙幣収納部３４へのバラ紙幣の収納順序とが関連付けて記憶部３０６に記憶される。また、搬送部１８によりバラ紙幣がその長手方向に沿って搬送される場合には、識別部２０によるバラ紙幣の識別結果に基づくバラ紙幣の左右方向における向きに係る情報と、混合バラ紙幣収納部３２や各金種別バラ紙幣収納部３４へのバラ紙幣の収納順序とが関連付けて記憶部３０６に記憶される。また、識別部２０によるバラ紙幣の識別結果に基づくバラ紙幣の表裏の向きに係る情報と、混合バラ紙幣収納部３２や各金種別バラ紙幣収納部３４へのバラ紙幣の収納順序とが関連付けて記憶部３０６に記憶されるようになる。そして、入金一時保留部３０に保留されているバラ紙幣が全て各金種別バラ紙幣収納部３４に振り分けられると、紙幣入出金装置１０におけるバラ紙幣の入金処理の一連の動作が完了する。
【００５６】
一方、操作表示部３０２に入金確定の指令を操作者に求める画面が表示されているときに、操作者が入金確定の指令ではなく返却の指令を入力すると、入金一時保留部３０の内部に一時的に保留されているバラ紙幣が紙幣繰出繰入部３０ｂにより搬送部１８に繰り出され、この繰り出されたバラ紙幣は搬送部１８によりバラ紙幣投出部２４に送られる。そして、入金一時保留部３０に保留されているバラ紙幣が全てバラ紙幣投出部２４に送られると、このバラ紙幣投出部２４に設けられたシャッター２４ａが開くようになる。このことにより、操作者は返却されたバラ紙幣をバラ紙幣投出部２４から取り出すことができるようになる。なお、操作者が操作表示部３０２により返却の指令を入力した後、入金一時保留部３０の前面に設けられた下部扉１２ａを開くことによりバラ紙幣を入金一時保留部３０から筐体１２の外部に直接取り出してもよい。具体的には、操作表示部３０２により返却の指令が入力されると、下部扉１２ａのロックが解除されて操作者は下部扉１２ａを開くことができるようになり、このことにより操作者は入金一時保留部３０のステージ３０ａ上に集積されているバラ紙幣を筐体１２の外部に取り出すことができるようになる。
【００５７】
次に、紙幣入出金装置１０においてバラ紙幣の出金処理が行われる際の動作について図５に示すようなバラ紙幣の搬送経路を示す図を用いて説明する。なお、図５では、紙幣入出金装置１０においてバラ紙幣の出金処理が行われる際のバラ紙幣の搬送経路が実線の矢印で示されている。紙幣入出金装置１０においてバラ紙幣の出金処理を行うにあたり、操作者が操作表示部３０２により操作者ＩＤの入力を行うと、貨幣の処理内容を選択するためのメニュー画面が操作表示部３０２に表示されるようになる。そして、このような操作表示部３０２のメニュー画面において操作者が貨幣の処理内容として出金処理を選択した後、出金されるべきバラ紙幣の金種毎の枚数または合計金額を入力すると、出金されるべきバラ紙幣の金種に対応する金種別バラ紙幣収納部３４からバラ紙幣が搬送部１８に繰り出され、この繰り出されたバラ紙幣は搬送部１８により表裏反転部２２を通過した後に識別部２０に送られる。そして、識別部２０に送られたバラ紙幣は当該識別部２０によりその搬送状態等が識別され、正常な紙幣であると識別されたバラ紙幣は搬送部１８によりバラ紙幣投出部２４に送られる。一方、識別部２０により正常な紙幣ではないと識別されたバラ紙幣（例えば、搬送異常のバラ紙幣）は搬送部１８により出金リジェクト部２６に送られ、この出金リジェクト部２６に集積されるようになる。そして、出金されるべきバラ紙幣が全て各金種別バラ紙幣収納部３４から繰り出されてバラ紙幣投出部２４に送られると、このバラ紙幣投出部２４に設けられたシャッター２４ａが開くようになる。このことにより、操作者はバラ紙幣投出部２４から出金されるべきバラ紙幣を筐体１２の外部に取り出すことができるようになる。
【００５８】
次に、紙幣入出金装置１０においてバラ紙幣の振分整理処理が行われる際の動作について図４に示すようなバラ紙幣の搬送経路を示す図を用いて説明する。なお、バラ紙幣の振分整理処理とは、混合バラ紙幣収納部３２や各金種別バラ紙幣収納部３４からバラ紙幣を整理一時保留部４０に送ることによって帯封部４２により帯封紙幣を作成し、作成された帯封紙幣を帯封紙幣収納部７０に収納させるような処理のことをいう。また、図４では、紙幣入出金装置１０においてバラ紙幣の振分整理処理が行われる際のバラ紙幣の搬送経路が実線の矢印で示されている。紙幣入出金装置１０においてバラ紙幣の振分整理処理を行うにあたり、操作者が操作表示部３０２により操作者ＩＤの入力を行うと、貨幣の処理内容を選択するためのメニュー画面が操作表示部３０２に表示されるようになる。そして、このような操作表示部３０２のメニュー画面において操作者が貨幣の処理内容として精査処理を選択すると、混合バラ紙幣収納部３２や各金種別バラ紙幣収納部３４に収納されているバラ紙幣の精査処理が行われる。ここで、バラ紙幣の精査処理とは、混合バラ紙幣収納部３２や各金種別バラ紙幣収納部３４に収納されているバラ紙幣を入金一時保留部３０に送った後に入金一時保留部３０から元の混合バラ紙幣収納部３２や各金種別バラ紙幣収納部３４にバラ紙幣を戻し、この際に識別部２０によってバラ紙幣の識別を行うことにより混合バラ紙幣収納部３２や各金種別バラ紙幣収納部３４に収納されているバラ紙幣の在高を確認するような処理のことをいう。
【００５９】
このようなバラ紙幣の精査処理が行われる際に、混合バラ紙幣収納部３２や各々の金種別バラ紙幣収納部３４に所定枚数（例えば、１００枚）以上のバラ紙幣が収納されている場合には、混合バラ紙幣収納部３２や各々の金種別バラ紙幣収納部３４から繰り出されたバラ紙幣は図４に示すようなバラ紙幣の搬送経路を通って整理一時保留部４０に送られるようになる。そして、所定枚数のバラ紙幣が整理一時保留部４０に送られると、整理一時保留部４０に集積されている所定枚数のバラ紙幣がアーム機構４４により整理一時保留部４０から取り出されて帯封部４２に送られ、この帯封部４２により帯封される。このようにして帯封紙幣が作成される。帯封部４２により作成された帯封紙幣はアーム機構４４から帯封紙幣揚送部４６のステージ４６ａ上に受け渡され、この帯封紙幣揚送部４６により帯封紙幣搬送部６０に送られる。そして、帯封紙幣搬送部６０により帯封紙幣が搬送され、この際に帯封紙幣の金種が判別部６２により判別される。その後、判別部６２により金種が判別された帯封紙幣は各帯封紙幣収納部７０に金種毎に収納される。このようなバラ紙幣の振分整理処理が行われている間、紙幣入出金装置１０ではバラ紙幣の入金処理や出金処理を行うことができなくなるため、操作表示部３０２には振分整理処理が実行中である旨のメッセージが表示され、操作表示部３０２によりバラ紙幣の入金処理や出金処理の指令を入力することができなくなる。また、混合バラ紙幣収納部３２や各々の金種別バラ紙幣収納部３４に収納されているバラ紙幣の在高情報に基づいて、振分整理処理が完了するまでの時間が例えばカウントダウン方式で操作表示部３０２に表示されるようになっていてもよい。また、バラ紙幣の振分整理処理が行われる際に、全ての金種のバラ紙幣について振分整理処理が順番に行われるようになっていてもよく、あるいは操作表示部３０２により指定された金種のバラ紙幣のみについて振分整理処理が行われるようになっていてもよい。
【００６０】
また、振分整理処理により各帯封紙幣収納部７０に金種毎に収納された帯封紙幣については、例えば操作者によって操作表示部３０２により帯封紙幣を含む紙幣の出金処理の指示（払い出し指令）が制御部３００に与えられたときに、当該帯封紙幣収納部７０から繰り出されて帯封紙幣投出部４８により筐体１２の外部に投出されるようになる。
【００６１】
また、本実施の形態では、バラ紙幣の出金処理や振分整理処理が行われる際に、バラ紙幣投出部２４や整理一時保留部４０に集積される複数のバラ紙幣の天地方向または左右方向の向きが揃ったものとなるよう、混合バラ紙幣収納部３２や各金種別バラ紙幣収納部３４から搬送部１８に繰り出されたバラ紙幣はその天地方向または左右方向の向きに応じてその搬送先が振り分けられるようになっている。より詳細に説明すると、混合バラ紙幣収納部３２や各金種別バラ紙幣収納部３４から搬送部１８に繰り出されたバラ紙幣の天地方向および左右方向のうち少なくともいずれかの方向における向きが方向特定手段３３０によって特定されるようになっている。また、制御部３００は、混合バラ紙幣収納部３２や各金種別バラ紙幣収納部３４から搬送部１８に繰り出されたバラ紙幣について、方向特定手段３３０により特定されたバラ紙幣の天地方向または左右方向における向きに基づいて、ある向きのバラ紙幣を入金一時保留部３０に送るとともに別の向きの紙幣を各収納部２９とは別の箇所（具体的には、バラ紙幣投出部２４や整理一時保留部４０）に送るよう搬送部１８を制御するようになっている。このような動作の詳細について以下に説明する。
【００６２】
まず、搬送部１８によりバラ紙幣がその短手方向に沿って搬送される場合について図７および図８を用いて説明する。搬送部１８によりバラ紙幣がその短手方向に沿って搬送される場合には、図７に示すように、操作者は投入部１４にバラ紙幣をその短手方向に沿って投入するようになる。また、搬送部１８から入金一時保留部３０、混合バラ紙幣収納部３２および各金種別バラ紙幣収納部３４にバラ紙幣がその短手方向に沿って送られるようになる。一方、入金一時保留部３０、混合バラ紙幣収納部３２および各金種別バラ紙幣収納部３４からバラ紙幣が各紙幣繰出繰入部３０ｂ、３２ｂ、３４ｂにより搬送部１８に繰り出される際に、バラ紙幣はその短手方向に沿って繰り出されるようになる。
【００６３】
搬送部１８によりバラ紙幣がその短手方向に沿って搬送される場合には、上述したバラ紙幣の入金処理が行われる際に、識別部２０によりバラ紙幣の表裏および天地方向における向きが識別されるようになる。ここで、識別部２０により識別されるバラ紙幣の表裏および天地方向における向きの組合せとしては、図７におけるＡ方向〜Ｄ方向の４つのものがある。より詳細には、Ａ方向は、バラ紙幣が表向きであり、かつ天地方向における向きが搬送方向に対して正の向きであるような方向のことをいう。また、Ｂ方向は、バラ紙幣が表向きであり、かつ天地方向における向きが搬送方向に対して逆の向きであるような方向のことをいう。また、Ｃ方向は、バラ紙幣が裏向きであり、かつ天地方向における向きが搬送方向に対して正の向きであるような方向のことをいう。また、Ｄ方向は、バラ紙幣が裏向きであり、かつ天地方向における向きが搬送方向に対して逆の向きであるような方向のことをいう。上述したように、バラ紙幣の入金処理が行われる際に、このような識別部２０により識別されたバラ紙幣の表裏および天地方向における向きの組合せに係る情報は、混合バラ紙幣収納部３２や各金種別バラ紙幣収納部３４へのバラ紙幣の収納順序と関連付けられて記憶部３０６に記憶されるようになる。すなわち、混合バラ紙幣収納部３２や各金種別バラ紙幣収納部３４に収納されているバラ紙幣について、上から何番目のバラ紙幣がどの向きであるかという情報が記憶部３０６に記憶されるようになる。なお、上述したように、バラ紙幣の入金処理が行われる際に、識別部２０によりバラ紙幣の金種、真偽、表裏、正損、新旧、搬送状態等が識別された後、表裏反転部２２によりその表裏が揃うように反転させられる場合には、混合バラ紙幣収納部３２や各金種別バラ紙幣収納部３４に収納されるバラ紙幣の方向はＡ方向またはＢ方向となる。
【００６４】
その後、本実施の形態による紙幣入出金装置１０においてバラ紙幣の出金処理や振分整理処理が行われる際に、混合バラ紙幣収納部３２や各金種別バラ紙幣収納部３４から搬送部１８に繰り出されたバラ紙幣の天地方向における向きが方向特定手段３３０によって特定される。より詳細には、方向特定手段３３０は、記憶部３０６に記憶されている情報および混合バラ紙幣収納部３２や各金種別バラ紙幣収納部３４から搬送部１８にバラ紙幣が繰り出された順番に基づいて、混合バラ紙幣収納部３２や各金種別バラ紙幣収納部３４から搬送部１８に繰り出されたバラ紙幣の天地方向における向きを特定するようになる。また、バラ紙幣の出金処理や振分整理処理が行われる際に、混合バラ紙幣収納部３２や各金種別バラ紙幣収納部３４から搬送部１８に繰り出されたバラ紙幣の表裏の向きが表裏特定手段３３２によって特定される。より詳細には、表裏特定手段３３２は、記憶部３０６に記憶されている情報および混合バラ紙幣収納部３２や各金種別バラ紙幣収納部３４から搬送部１８にバラ紙幣が繰り出された順番に基づいて、混合バラ紙幣収納部３２や各金種別バラ紙幣収納部３４から搬送部１８に繰り出されたバラ紙幣の表裏の向きを特定するようになる。
【００６５】
そして、バラ紙幣の振分整理処理が行われる場合には、図４で示すように、混合バラ紙幣収納部３２や各金種別バラ紙幣収納部３４から搬送部１８に繰り出されたバラ紙幣は識別部２０により識別された後に表裏反転部２２に送られるが、方向特定手段３３０および表裏特定手段３３２により特定されたバラ紙幣の向きがＣ方向またはＤ方向である場合、すなわち混合バラ紙幣収納部３２や各金種別バラ紙幣収納部３４から搬送部１８に繰り出されたバラ紙幣が裏向きであった場合には、図８に示すように、当該バラ紙幣は表裏反転部２２により反転させられ、バラ紙幣の向きがＡ方向またはＢ方向と同じになるよう変換させられる。また、表裏反転部２２を通過したバラ紙幣について、天地方向における向きが搬送方向に対して正の向きであるようなバラ紙幣（すなわち、混合バラ紙幣収納部３２や各金種別バラ紙幣収納部３４から搬送部１８に繰り出されたときの向きがＡ方向またはＤ方向であるようなバラ紙幣）は、整理一時保留部４０に送られるようになる。このようにして表向きとなっているとともに天地方向における向きが搬送方向に対して正の向きであるバラ紙幣のみが帯封部４２により帯封されて帯封紙幣が作成される。上述したように、帯封部４２により作成された帯封紙幣は各帯封紙幣収納部７０に金種毎に収納されるようになる。一方、表裏反転部２２を通過したバラ紙幣について、天地方向における向きが搬送方向に対して逆の向きであるようなバラ紙幣（すなわち、混合バラ紙幣収納部３２や各金種別バラ紙幣収納部３４から搬送部１８に繰り出されたときの向きがＢ方向またはＣ方向であるようなバラ紙幣）は、図４において点線で示すような搬送経路を通って入金一時保留部３０に送られるようになる。このことにより、表向きとなっているとともに天地方向における向きが搬送方向に対して逆の向きであるバラ紙幣が入金一時保留部３０に集積されるようになる。また、識別部２０により識別されたバラ紙幣の金種が、帯封部４２により帯封されるべきバラ紙幣の金種と異なる場合にも、当該バラ紙幣は図４において点線で示すような搬送経路を通って入金一時保留部３０に送られるようになる。
【００６６】
このようなバラ紙幣の振分整理処理は、混合バラ紙幣収納部３２や各金種別バラ紙幣収納部３４が空状態となるか、各帯封紙幣収納部７０に収納されている帯封紙幣がフル状態またはニアフル状態となるか、入金一時保留部３０に集積されたバラ紙幣の枚数が所定数に達したか、またはバラ紙幣の出金処理等の別の処理が開始されるまで行われる。そして、バラ紙幣の振分整理処理が完了すると、入金一時保留部３０に保留されているバラ紙幣が元の混合バラ紙幣収納部３２や各金種別バラ紙幣収納部３４に戻されるようになる。このときのバラ紙幣の搬送経路を図６で示す。図６に示すように、入金一時保留部３０からバラ紙幣が搬送部１８に１枚ずつ繰り出され、この繰り出されたバラ紙幣は搬送部１８により搬送される。そして、搬送部１８により搬送されるバラ紙幣は識別部２０および表裏反転部２２を通過した後、元の混合バラ紙幣収納部３２や各金種別バラ紙幣収納部３４に送られる。このようにして、帯封部４２により帯封されるバラ紙幣に対して天地方向における向きが異なるようなバラ紙幣は元の混合バラ紙幣収納部３２や各金種別バラ紙幣収納部３４に戻されるようになる。
【００６７】
このように、本実施の形態では、バラ紙幣の振分整理処理が行われる際に、方向特定手段３３０および表裏特定手段３３２によって特定されるバラ紙幣の表裏および天地方向における向きの組合せ体に基づいて、混合バラ紙幣収納部３２や各金種別バラ紙幣収納部３４から搬送部１８に繰り出されたバラ紙幣がＡ方向またはＤ方向を向いている場合には、当該バラ紙幣は整理一時保留部４０に送られ、また、混合バラ紙幣収納部３２や各金種別バラ紙幣収納部３４から搬送部１８に繰り出されたバラ紙幣がＢ方向またはＣ方向を向いている場合には、当該バラ紙幣は入金一時保留部３０に送られるようになる。
【００６８】
また、バラ紙幣の出金処理が行われる場合には、図５に示すように、混合バラ紙幣収納部３２や各金種別バラ紙幣収納部３４から搬送部１８に繰り出されたバラ紙幣は表裏反転部２２に送られるが、方向特定手段３３０および表裏特定手段３３２により特定されたバラ紙幣の向きがＣ方向またはＤ方向である場合、すなわち混合バラ紙幣収納部３２や各金種別バラ紙幣収納部３４から搬送部１８に繰り出されたバラ紙幣が裏向きであった場合には、図８に示すように、当該バラ紙幣は表裏反転部２２により反転させられ、バラ紙幣の向きがＡ方向またはＢ方向と同じになるよう変換させられる。また、表裏反転部２２を通過したバラ紙幣は識別部２０によりその搬送状態等が識別される。そして、識別部２０により正常な紙幣であると識別されたバラ紙幣のうち、天地方向における向きが搬送方向に対して正の向きであるようなバラ紙幣（すなわち、混合バラ紙幣収納部３２や各金種別バラ紙幣収納部３４から搬送部１８に繰り出されたときの向きがＡ方向またはＤ方向であるようなバラ紙幣）は、バラ紙幣投出部２４に送られるようになる。このようにして表向きとなっているとともに天地方向における向きが搬送方向に対して正の向きであるバラ紙幣のみがバラ紙幣投出部２４に集積されるようになる。一方、表裏反転部２２を通過したバラ紙幣について、天地方向における向きが搬送方向に対して逆の向きであるようなバラ紙幣（すなわち、混合バラ紙幣収納部３２や各金種別バラ紙幣収納部３４から搬送部１８に繰り出されたときの向きがＢ方向またはＣ方向であるようなバラ紙幣）は、図５において点線で示すような搬送経路を通って入金一時保留部３０に送られるようになる。このことにより、表向きとなっているとともに天地方向における向きが搬送方向に対して逆の向きであるバラ紙幣が入金一時保留部３０に集積されるようになる。また、識別部２０により正常な紙幣ではないと識別されたバラ紙幣（例えば、搬送異常のバラ紙幣）は出金リジェクト部２６に送られ、この出金リジェクト部２６に集積されるようになる。このことにより、操作者は天地方向における向きが揃ったバラ紙幣を出金紙幣としてバラ紙幣投出部２４から筐体１２の外部に取り出すことができるようになる。
【００６９】
その後、シャッター２４ａが開かれてバラ紙幣投出部２４からバラ紙幣が筐体１２の外部に取り出されると、入金一時保留部３０に保留されているバラ紙幣が元の混合バラ紙幣収納部３２や各金種別バラ紙幣収納部３４に戻されるようになる。このときのバラ紙幣の搬送経路を図６で示す。図６に示すように、入金一時保留部３０からバラ紙幣が搬送部１８に１枚ずつ繰り出され、この繰り出されたバラ紙幣は搬送部１８により搬送される。そして、搬送部１８により搬送されるバラ紙幣は識別部２０および表裏反転部２２を通過した後、元の混合バラ紙幣収納部３２や各金種別バラ紙幣収納部３４に送られる。このようにして、バラ紙幣投出部２４により筐体１２の外部に投出されるバラ紙幣に対して天地方向における向きが異なるようなバラ紙幣は元の混合バラ紙幣収納部３２や各金種別バラ紙幣収納部３４に戻されるようになる。
【００７０】
このように、本実施の形態では、バラ紙幣の出金処理が行われる際に、方向特定手段３３０および表裏特定手段３３２によって特定されるバラ紙幣の表裏および天地方向における向きの組合せ体に基づいて、混合バラ紙幣収納部３２や各金種別バラ紙幣収納部３４から搬送部１８に繰り出されたバラ紙幣がＡ方向またはＤ方向を向いている場合には、当該バラ紙幣はバラ紙幣投出部２４に送られ、また、混合バラ紙幣収納部３２や各金種別バラ紙幣収納部３４から搬送部１８に繰り出されたバラ紙幣がＢ方向またはＣ方向を向いている場合には、当該バラ紙幣は入金一時保留部３０に送られるようになる。
【００７１】
次に、搬送部１８によりバラ紙幣がその長手方向に沿って搬送される場合について図９および図１０を用いて説明する。搬送部１８によりバラ紙幣がその長手方向に沿って搬送される場合には、図９に示すように、操作者は投入部１４にバラ紙幣をその長手方向に沿って投入するようになる。また、搬送部１８から入金一時保留部３０、混合バラ紙幣収納部３２および各金種別バラ紙幣収納部３４にバラ紙幣がその長手方向に沿って送られるようになる。一方、入金一時保留部３０、混合バラ紙幣収納部３２および各金種別バラ紙幣収納部３４からバラ紙幣が各紙幣繰出繰入部３０ｂ、３２ｂ、３４ｂにより搬送部１８に繰り出される際に、バラ紙幣はその長手方向に沿って繰り出されるようになる。
【００７２】
搬送部１８によりバラ紙幣がその長手方向に沿って搬送される場合には、上述したバラ紙幣の入金処理が行われる際に、識別部２０によりバラ紙幣の表裏および左右方向における向きが識別されるようになる。ここで、識別部２０により識別されるバラ紙幣の表裏および左右方向における向きの組合せとしては、図９におけるＥ方向〜Ｈ方向の４つのものがある。より詳細には、Ｅ方向は、バラ紙幣が表向きであり、かつ左右方向における向きにおいてバラ紙幣に描かれた肖像がバラ紙幣の投入方向や搬送方向、繰出方向等において先行するような方向のことをいう。また、Ｆ方向は、バラ紙幣が表向きであり、かつ左右方向における向きにおいてバラ紙幣に描かれた肖像がバラ紙幣の投入方向や搬送方向、繰出方向等において先行しないような方向のことをいう。また、Ｇ方向は、バラ紙幣が裏向きであり、かつ左右方向における向きにおいてバラ紙幣に描かれた肖像がバラ紙幣の投入方向や搬送方向、繰出方向等において先行しないような方向のことをいう。また、Ｈ方向は、バラ紙幣が裏向きであり、かつ左右方向における向きにおいてバラ紙幣に描かれた肖像がバラ紙幣の投入方向や搬送方向、繰出方向等において先行するような方向のことをいう。バラ紙幣の入金処理が行われる際に、このような識別部２０により識別されたバラ紙幣の表裏および左右方向における向きの組合せに係る情報は、混合バラ紙幣収納部３２や各金種別バラ紙幣収納部３４へのバラ紙幣の収納順序と関連付けられて記憶部３０６に記憶されるようになる。すなわち、混合バラ紙幣収納部３２や各金種別バラ紙幣収納部３４に収納されているバラ紙幣について、上から何番目のバラ紙幣がどの向きであるかという情報が記憶部３０６に記憶されるようになる。なお、上述したように、バラ紙幣の入金処理が行われる際に、識別部２０によりバラ紙幣の金種、真偽、表裏、正損、新旧、搬送状態等が識別された後、表裏反転部２２によりその表裏が揃うように反転させられる場合には、混合バラ紙幣収納部３２や各金種別バラ紙幣収納部３４に収納されるバラ紙幣の方向はＥ方向またはＦ方向となる。
【００７３】
その後、本実施の形態による紙幣入出金装置１０においてバラ紙幣の出金処理や振分整理処理が行われる際に、混合バラ紙幣収納部３２や各金種別バラ紙幣収納部３４から搬送部１８に繰り出されたバラ紙幣の左右方向における向きが方向特定手段３３０によって特定される。より詳細には、方向特定手段３３０は、記憶部３０６に記憶されている情報および混合バラ紙幣収納部３２や各金種別バラ紙幣収納部３４から搬送部１８にバラ紙幣が繰り出された順番に基づいて、混合バラ紙幣収納部３２や各金種別バラ紙幣収納部３４から搬送部１８に繰り出されたバラ紙幣の左右方向における向きを特定するようになる。また、バラ紙幣の出金処理や振分整理処理が行われる際に、混合バラ紙幣収納部３２や各金種別バラ紙幣収納部３４から搬送部１８に繰り出されたバラ紙幣の表裏の向きが表裏特定手段３３２によって特定される。より詳細には、表裏特定手段３３２は、記憶部３０６に記憶されている情報および混合バラ紙幣収納部３２や各金種別バラ紙幣収納部３４から搬送部１８にバラ紙幣が繰り出された順番に基づいて、混合バラ紙幣収納部３２や各金種別バラ紙幣収納部３４から搬送部１８に繰り出されたバラ紙幣の表裏の向きを特定するようになる。
【００７４】
そして、バラ紙幣の振分整理処理が行われる場合には、図４で示すように、混合バラ紙幣収納部３２や各金種別バラ紙幣収納部３４から搬送部１８に繰り出されたバラ紙幣は識別部２０により識別された後に表裏反転部２２に送られるが、方向特定手段３３０および表裏特定手段３３２により特定されたバラ紙幣の向きがＧ方向またはＨ方向である場合、すなわち混合バラ紙幣収納部３２や各金種別バラ紙幣収納部３４から搬送部１８に繰り出されたバラ紙幣が裏向きであった場合には、図８に示すように、当該バラ紙幣は表裏反転部２２により反転させられ、バラ紙幣の向きがＥ方向またはＦ方向と同じになるように変換させられる。また、表裏反転部２２を通過したバラ紙幣について、左右方向における向きにおいてバラ紙幣に描かれた肖像がバラ紙幣の搬送方向において先行するようなバラ紙幣（すなわち、混合バラ紙幣収納部３２や各金種別バラ紙幣収納部３４から搬送部１８に繰り出されたときの向きがＥ方向またはＧ方向であるようなバラ紙幣）は、整理一時保留部４０に送られるようになる。このようにして表向きとなっているとともに左右方向における向きにおいてバラ紙幣に描かれた肖像がバラ紙幣の搬送方向において先行するようなバラ紙幣のみが帯封部４２により帯封されて帯封紙幣が作成される。上述したように、帯封部４２により作成された帯封紙幣は各帯封紙幣収納部７０に金種毎に収納される。一方、表裏反転部２２を通過したバラ紙幣について、左右方向における向きにおいてバラ紙幣に描かれた肖像がバラ紙幣の搬送方向において先行しないようなバラ紙幣（すなわち、混合バラ紙幣収納部３２や各金種別バラ紙幣収納部３４から搬送部１８に繰り出されたときの向きがＦ方向またはＨ方向であるようなバラ紙幣）は、図４において点線で示すような搬送経路を通って入金一時保留部３０に送られるようになる。このことにより、表向きとなっているとともに左右方向における向きにおいてバラ紙幣に描かれた肖像がバラ紙幣の搬送方向において先行しないようなバラ紙幣が入金一時保留部３０に集積されるようになる。また、識別部２０により識別されたバラ紙幣の金種が、帯封部４２により帯封されるべきバラ紙幣の金種と異なる場合にも、当該バラ紙幣は図４において点線で示すような搬送経路を通って入金一時保留部３０に送られるようになる。
【００７５】
このようなバラ紙幣の振分整理処理は、混合バラ紙幣収納部３２や各金種別バラ紙幣収納部３４が空状態となるか、各帯封紙幣収納部７０に収納されている帯封紙幣がフル状態またはニアフル状態となるか、入金一時保留部３０に集積されたバラ紙幣の枚数が所定数に達したか、またはバラ紙幣の出金処理等の別の処理が開始されるまで行われる。そして、バラ紙幣の振分整理処理が完了すると、入金一時保留部３０に保留されているバラ紙幣が元の混合バラ紙幣収納部３２や各金種別バラ紙幣収納部３４に戻されるようになる。
【００７６】
このように、本実施の形態では、バラ紙幣の振分整理処理が行われる際に、方向特定手段３３０および表裏特定手段３３２によって特定されるバラ紙幣の表裏および左右方向における向きの組合せ体に基づいて、混合バラ紙幣収納部３２や各金種別バラ紙幣収納部３４から搬送部１８に繰り出されたバラ紙幣がＥ方向またはＧ方向を向いている場合には、当該バラ紙幣は整理一時保留部４０に送られ、また、混合バラ紙幣収納部３２や各金種別バラ紙幣収納部３４から搬送部１８に繰り出されたバラ紙幣がＦ方向またはＨ方向を向いている場合には、当該バラ紙幣は入金一時保留部３０に送られるようになる。
【００７７】
また、バラ紙幣の出金処理が行われる場合には、図５に示すように、混合バラ紙幣収納部３２や各金種別バラ紙幣収納部３４から搬送部１８に繰り出されたバラ紙幣は表裏反転部２２に送られるが、方向特定手段３３０および表裏特定手段３３２により特定されたバラ紙幣の向きがＧ方向またはＨ方向である場合、すなわち混合バラ紙幣収納部３２や各金種別バラ紙幣収納部３４から搬送部１８に繰り出されたバラ紙幣が裏向きであった場合には、図１０に示すように、当該バラ紙幣は表裏反転部２２により反転させられ、バラ紙幣の向きがＥ方向またはＦ方向と同じ向きになるよう変換させられる。また、表裏反転部２２を通過したバラ紙幣は識別部２０によりその搬送状態等が識別される。そして、識別部２０により正常な紙幣であると識別されたバラ紙幣のうち、左右方向における向きにおいてバラ紙幣に描かれた肖像がバラ紙幣の搬送方向において先行するようなバラ紙幣（すなわち、混合バラ紙幣収納部３２や各金種別バラ紙幣収納部３４から搬送部１８に繰り出されたときの向きがＥ方向またはＧ方向であるようなバラ紙幣）は、バラ紙幣投出部２４に送られるようになる。このようにして表向きとなっているとともに左右方向における向きにおいてバラ紙幣に描かれた肖像がバラ紙幣の搬送方向において先行するようなバラ紙幣のみがバラ紙幣投出部２４に集積されるようになる。一方、表裏反転部２２を通過したバラ紙幣について、左右方向における向きにおいてバラ紙幣に描かれた肖像がバラ紙幣の搬送方向において先行するようなバラ紙幣（すなわち、混合バラ紙幣収納部３２や各金種別バラ紙幣収納部３４から搬送部１８に繰り出されたときの向きがＦ方向またはＨ方向であるようなバラ紙幣）は、図５において点線で示すような搬送経路を通って入金一時保留部３０に送られるようになる。このことにより、表向きとなっているとともに左右方向における向きにおいてバラ紙幣に描かれた肖像がバラ紙幣の搬送方向において先行しないようなバラ紙幣が入金一時保留部３０に集積されるようになる。また、識別部２０により正常な紙幣ではないと識別されたバラ紙幣（例えば、搬送異常のバラ紙幣）は出金リジェクト部２６に送られ、この出金リジェクト部２６に集積されるようになる。このことにより、操作者は左右方向における向きが揃ったバラ紙幣を出金紙幣としてバラ紙幣投出部２４から筐体１２の外部に取り出すことができるようになる。
【００７８】
その後、シャッター２４ａが開かれてバラ紙幣投出部２４からバラ紙幣が筐体１２の外部に取り出されると、入金一時保留部３０に保留されているバラ紙幣が元の混合バラ紙幣収納部３２や各金種別バラ紙幣収納部３４に戻されるようになる。このようにして、バラ紙幣投出部２４により筐体１２の外部に投出されるバラ紙幣に対して左右方向における向きが異なるようなバラ紙幣は元の混合バラ紙幣収納部３２や各金種別バラ紙幣収納部３４に戻されるようになる。
【００７９】
このように、本実施の形態では、バラ紙幣の出金処理が行われる際に、方向特定手段３３０および表裏特定手段３３２によって特定されるバラ紙幣の表裏および左右方向における向きの組合せ体に基づいて、混合バラ紙幣収納部３２や各金種別バラ紙幣収納部３４から搬送部１８に繰り出されたバラ紙幣がＥ方向またはＧ方向を向いている場合には、当該バラ紙幣はバラ紙幣投出部２４に送られ、また、混合バラ紙幣収納部３２や各金種別バラ紙幣収納部３４から搬送部１８に繰り出されたバラ紙幣がＦ方向またはＨ方向を向いている場合には、当該バラ紙幣は入金一時保留部３０に送られるようになる。
【００８０】
また、本実施の形態では、搬送部１８によりバラ紙幣がその短手方向に沿って搬送される場合およびその長手方向に沿って搬送される場合の両方において、バラ紙幣の振分整理処理や出金処理が行われる際に、混合バラ紙幣収納部３２や各金種別バラ紙幣収納部３４から搬送部１８に繰り出されたバラ紙幣について、記憶部３０６に記憶されている情報に基づいて、様々な向きのバラ紙幣のうち混合バラ紙幣収納部３２や各金種別バラ紙幣収納部３４に収納されている数の少ない向きのバラ紙幣が入金一時保留部３０に送られるとともに混合バラ紙幣収納部３２や各金種別バラ紙幣収納部３４に収納されている数の多い向きのバラ紙幣が整理一時保留部４０やバラ紙幣投出部２４に送られるようになっていてもよい。具体的には、例えば、搬送部１８によりバラ紙幣がその短手方向に沿って搬送される場合において、混合バラ紙幣収納部３２や各金種別バラ紙幣収納部３４に収納されているバラ紙幣のうち図８におけるＡ方向およびＤ方向のバラ紙幣の数の合計量が、Ｂ方向およびＣ方向のバラ紙幣の数の合計量よりも少ない場合には、混合バラ紙幣収納部３２や各金種別バラ紙幣収納部３４から搬送部１８に繰り出されたバラ紙幣がＡ方向またはＤ方向を向いているときに当該バラ紙幣が入金一時保留部３０に送られ、また、混合バラ紙幣収納部３２や各金種別バラ紙幣収納部３４から搬送部１８に繰り出されたバラ紙幣がＢ方向またはＣ方向を向いているときに当該バラ紙幣が整理一時保留部４０やバラ紙幣投出部２４に送られるようになる。このような方法でバラ紙幣の振分整理処理や出金処理が行われる場合には、入金一時保留部３０に送られるバラ紙幣の数を減らすことができ、よって入金一時保留部３０から元の混合バラ紙幣収納部３２や各金種別バラ紙幣収納部３４にバラ紙幣を戻す時間を短縮することができるようになる。
【００８１】
あるいは、別の態様として、バラ紙幣の振分整理処理や出金処理が行われる際に、混合バラ紙幣収納部３２や各金種別バラ紙幣収納部３４から搬送部１８に繰り出されたバラ紙幣の天地方向や左右方向における向きと、バラ紙幣の搬送先（具体的には、整理一時保留部４０やバラ紙幣投出部２４に搬送するか、あるいは入金一時保留部３０に搬送するか）を操作表示部３０２により設定することができるようになっていてもよい。具体的には、例えば、搬送部１８によりバラ紙幣がその短手方向に沿って搬送される場合において、表裏反転部２２を通過したときの天地方向における向きが搬送方向に対して正の向きであるようなバラ紙幣については整理一時保留部４０やバラ紙幣投出部２４に送り、また、表裏反転部２２を通過したときの天地方向における向きが搬送方向に対して逆の向きであるようなバラ紙幣については入金一時保留部３０に送ることを操作者が操作表示部３０２により設定することができるようになる。この場合には、制御部３００は、操作表示部３０２により設定された内容に基づいてバラ紙幣の搬送先を決めるようになる。なお、このようなバラ紙幣の搬送先の設定は、例えば紙幣入出金装置１０の出荷時や設置時に行われる。
【００８２】
また、本実施の形態では、バラ紙幣の振分整理処理が行われる際に、方向特定手段３３０や表裏特定手段３３２は、記憶部３０６に記憶されている情報および混合バラ紙幣収納部３２や各金種別バラ紙幣収納部３４から搬送部１８にバラ紙幣が繰り出された順番に基づいて、表裏反転部２２に送られる直前のバラ紙幣の向きを特定する代わりに、混合バラ紙幣収納部３２や各金種別バラ紙幣収納部３４から繰り出されたバラ紙幣が識別部２０により識別されたときの当該識別部２０によるバラ紙幣の識別情報に基づいて、表裏反転部２２に送られる直前のバラ紙幣の向きを特定するようになっていてもよい。この場合には、例えば引出ユニット１３を筐体１２の外部に引き出して混合バラ紙幣収納部３２や各金種別バラ紙幣収納部３４にバラ紙幣を直接投入した場合でも、表裏反転部２２に送られる直前のバラ紙幣の向きを方向特定手段３３０や表裏特定手段３３２により特定することができるようになる。
【００８３】
また、本実施の形態の紙幣入出金装置１０では、表裏反転部２２の設置が省略されるようになっていてもよい。あるいは、バラ紙幣の振分整理処理や出金処理が行われる際に、混合バラ紙幣収納部３２や各金種別バラ紙幣収納部３４から搬送部１８に繰り出されたバラ紙幣が表裏反転部２２を通過しなかったり、表裏反転部２２により反転させられなかったりするようになっていてもよい。この場合には、混合バラ紙幣収納部３２や各金種別バラ紙幣収納部３４から搬送部１８に繰り出されたバラ紙幣の表裏の向きを特定する表裏特定手段３３２の設置を省略することができるようになる。ここで、表裏反転部２２の設置が省略されたり、混合バラ紙幣収納部３２や各金種別バラ紙幣収納部３４から搬送部１８に繰り出されたバラ紙幣が表裏反転部２２を通過しなかったり、表裏反転部２２により反転させられなかったりする場合でも、方向特定手段３３０は、混合バラ紙幣収納部３２や各金種別バラ紙幣収納部３４から搬送部１８に繰り出されたバラ紙幣の天地方向および左右方向のうち少なくともいずれかの方向における向きを特定するようになる。また、このような変形例に係る紙幣入出金装置１０において、バラ紙幣の振分整理処理や出金処理が行われる際に、制御部３００は、混合バラ紙幣収納部３２や各金種別バラ紙幣収納部３４から搬送部１８に繰り出されたバラ紙幣について、方向特定手段３３０により特定されたバラ紙幣の天地方向または左右方向における向きに基づいて、ある向きのバラ紙幣を整理一時保留部４０やバラ紙幣投出部２４に送るとともに別の向きのバラ紙幣を入金一時保留部３０に送るよう搬送部１８を制御する。また、バラ紙幣の振分整理処理や出金処理が完了した後に、入金一時保留部３０から元の混合バラ紙幣収納部３２や各金種別バラ紙幣収納部３４にバラ紙幣が戻されるようになる。このように、表裏反転部２２の設置が省略されたり、混合バラ紙幣収納部３２や各金種別バラ紙幣収納部３４から搬送部１８に繰り出されたバラ紙幣が表裏反転部２２を通過しなかったり、表裏反転部２２により反転させられなかったりする場合でも、天地方向または左右方向の向きが揃ったバラ紙幣を整理一時保留部４０やバラ紙幣投出部２４に送ることができるため、整理一時保留部４０やバラ紙幣投出部２４に送られたバラ紙幣について天地方向または左右方向における向きが揃った状態で帯封部４２による帯封処理や出金処理を行うことができるようになる。
【００８４】
また、本実施の形態の紙幣入出金装置１０では、バラ紙幣の振分整理処理が行われるのは、バラ紙幣の精査処理が行われている間に限定されることはない。他の例として、バラ紙幣の振分整理処理が行われるタイミングとして夜間や休日等の通常のバラ紙幣の入金処理や出金処理が行われない時間帯における所定の時刻が記憶部３０６に記憶されるようになっており、現在の時刻がこの記憶部３０６に記憶されている所定の時刻となったときに上述したバラ紙幣の振分整理処理が行われるようになっていてもよい。この際に、バラ紙幣の振分整理処理が行われる途中でバラ紙幣のジャム（詰まり）等のトラブルが発生した場合を考慮して、翌営業日の始業時間の数時間前の時刻が所定の時刻として記憶部３０６に記憶されることが好ましい。また、店舗の営業終了後に、紙幣入出金装置１０の締め処理が行われる際に、紙幣入出金装置１０の機内在高が上述したバラ紙幣の精査処理によって確認された後に翌日の営業に備えてバラ紙幣の振分整理処理が行われるようになっていてもよい。具体的には、紙幣入出金装置１０において、営業終了後に記憶部３０６のデータクリア処理が行われるが、このようなデータクリア処理が行われた後に紙幣入出金装置１０の電源がオフにされるまでの間にバラ紙幣の振分整理処理が行われるようになる。また、本実施の形態の紙幣入出金装置１０では、所定の条件が満たされたときに（例えば、各金種別バラ紙幣収納部３４におけるバラ紙幣の収納量が所定量（具体的には、フル状態またはニアフル状態となるような量）に達したり、各帯封紙幣収納部７０における帯封紙幣の収納量が所定量を下回ったりした場合に）、自動収集処理としてバラ紙幣の振分整理処理が行われるようになっていてもよい。また、操作者が操作表示部３０２によりメニュー画面で振分整理処理を行うことを選択したり、上位端末等の外部装置３１０から通信インターフェース部３０８を介して制御部３００にバラ紙幣の振分整理処理の指令が制御部３００に送られたりすることにより、制御部３００にバラ紙幣の振分整理処理の指令が与えられたときに、バラ紙幣の振分整理処理が行われるようになっていてもよい。
【００８５】
また、本実施の形態の紙幣入出金装置１０では、バラ紙幣の振分整理処理が行われる際に、整理一時保留部４０に送られるバラ紙幣の天地方向または左右方向の向きを揃えるか否かを操作表示部３０２により設定することができるようになっていてもよい。例えば、上述したように、各金種別バラ紙幣収納部３４におけるバラ紙幣の収納量が所定量（具体的には、フル状態またはニアフル状態となるような量）に達したときに自動収集処理としてバラ紙幣の振分整理処理が行われる場合には、各金種別バラ紙幣収納部３４に収納されているバラ紙幣の量をできるだけ早く所定量よりも少なくするために、帯封部４２により作成される帯封紙幣を構成する各バラ紙幣の向きを揃えるよりも、帯封部４２による帯封紙幣の作成速度を大きくすることが求められる。このような場合には、バラ紙幣の振分整理処理が行われる際に整理一時保留部４０に送られるバラ紙幣の天地方向または左右方向の向きを揃えないことを操作表示部３０２により設定することによって、帯封部４２によりできるだけ早く帯封紙幣を作成することができるようになる。なお、この場合には、帯封部４２により作成される帯封紙幣を構成する各バラ紙幣の向きが揃わなくなるが、このような帯封紙幣は各帯封紙幣収納部７０に収納する代わりに帯封紙幣投出部４８により筐体１２の外部に投出させるようにしてもよい。あるいは、各バラ紙幣の向きが揃わないような帯封紙幣の搬送先を操作表示部３０２により各帯封紙幣収納部７０の中から選択することができるようにしてもよい。
【００８６】
また、本実施の形態の紙幣入出金装置１０では、バラ紙幣の振分整理処理が行われた後に、整理一時保留部４０に端数（すなわち、帯封紙幣を構成するバラ紙幣の枚数（例えば、１００枚）未満の数）のバラ紙幣が残っている場合には、整理一時保留部４０に端数のバラ紙幣が残っている旨のメッセージが操作表示部３０２に表示されるようになる。この場合には、操作者は整理一時保留部４０が設けられた本体部分を筐体１２の内部から引き出すことにより当該整理一時保留部４０から端数のバラ紙幣を手動で取り出すようになる。なお、別の方法として、各整理一時保留部４０に、当該整理一時保留部４０に集積されているバラ紙幣を搬送部１８に繰り出す繰出機構（図示せず）が設けられていてもよい。この場合には、バラ紙幣の振分整理処理が行われた後に、整理一時保留部４０に端数（すなわち、帯封紙幣を構成するバラ紙幣の枚数（例えば、１００枚）未満の数）のバラ紙幣が残っている場合でも、整理一時保留部４０に集積されている端数のバラ紙幣を搬送部１８に繰り出して元の混合バラ紙幣収納部３２や各金種別バラ紙幣収納部３４に戻すことができるようになる。
【００８７】
また、バラ紙幣の振分整理処理が行われた後に、整理一時保留部４０に端数のバラ紙幣が残っている場合に、入金一時保留部３０に送られたバラ紙幣が元の混合バラ紙幣収納部３２や各金種別バラ紙幣収納部３４に戻されるのではなく整理一時保留部４０に送られるようになっていてもよい。この場合には、整理一時保留部４０に集積されるバラ紙幣の天地方向や左右方向における向きが揃わなくなるが、それでも整理一時保留部４０に所定枚数（例えば、１００枚）のバラ紙幣が集積されたときには帯封部４２により帯封紙幣を作成することができるようになる。なお、この場合には、バラ紙幣の天地方向や左右方向における向きが揃っていない旨の情報が帯封紙に印字されたり、帯封部４２により作成された帯封紙幣が各帯封紙幣収納部７０に収納されることなく代わりに帯封紙幣投出部４８により筐体１２の外部に投出されたりするようになっていてもよい。
【００８８】
また、本実施の形態の紙幣入出金装置１０では、バラ紙幣の出金処理が行われる際に、バラ紙幣投出部２４に送られるバラ紙幣の天地方向または左右方向の向きを揃えるか否かを操作表示部３０２により設定することができるようになっていてもよい。例えば、バラ紙幣の出金処理が行われる際にバラ紙幣投出部２４に送られたバラ紙幣が顧客により取り出される場合にはバラ紙幣の天地方向または左右方向の向きを揃える必要があるが、バラ紙幣の回収処理が行われる場合や、店舗内で使用するバラ紙幣を紙幣入出金装置１０から出金させる場合において、バラ紙幣投出部２４に送られたバラ紙幣が顧客ではなく店員により取り出されるときには、バラ紙幣の天地方向または左右方向の向きを揃える必要はない。後者の場合には、混合バラ紙幣収納部３２や各金種別バラ紙幣収納部３４から搬送部１８に繰り出されたバラ紙幣を、その天地方向または左右方向における向きによってバラ紙幣投出部２４および入金一時保留部３０に振り分けるのではなく、搬送部１８に繰り出されたバラ紙幣を全てバラ紙幣投出部２４に送ることにより、バラ紙幣の出金処理にかかる時間を短縮することができるようになる。
【００８９】
また、本実施の形態の紙幣入出金装置１０では、バラ紙幣の入金処理が行われる際に、識別部２０により識別されて表裏反転部２２によりその表裏が揃うように反転させられたバラ紙幣は入金一時保留部３０に保留されるようになっているが、操作者によって操作表示部３０２により入金確定の指令が入力されたときに、入金一時保留部３０に保留されている複数のバラ紙幣について天地方向および左右方向のうち少なくともいずれかの方向における向きおよび金種が同じであるバラ紙幣の数が所定枚数（例えば、１００枚）以上である場合には、この向きおよび金種が同じであるバラ紙幣は入金一時保留部３０から繰り出された後に整理一時保留部４０に送られるようになっていてもよい。この場合には、入金一時保留部３０から繰り出された、向きおよび金種が同じであるバラ紙幣は混合バラ紙幣収納部３２や各金種別バラ紙幣収納部３４に送られる代わりに整理一時保留部４０に送られることにより、整理一時保留部４０に所定枚数のバラ紙幣が送られると帯封部４２によって帯封されるようになる。そして、帯封部４２により作成された帯封紙幣は各帯封紙幣収納部７０に金種毎に収納される。一方、整理一時保留部４０に送られるバラ紙幣と向きまたは金種が異なるバラ紙幣は混合バラ紙幣収納部３２や各金種別バラ紙幣収納部３４に金種毎に送られるようになる。また、整理一時保留部４０に送られるバラ紙幣と向きおよび金種が同じバラ紙幣であっても、所定枚数未満の端数のバラ紙幣は混合バラ紙幣収納部３２や各金種別バラ紙幣収納部３４に金種毎に送られるようになる。
【００９０】
以上のように、本実施の形態の紙幣入出金装置１０（紙幣処理装置）によれば、収納部２９（具体的には、混合バラ紙幣収納部３２や各金種別バラ紙幣収納部３４）から搬送部１８に繰り出されたバラ紙幣の天地方向および左右方向のうち少なくともいずれかの方向における向きを特定する方向特定手段３３０が設けられており、制御部３００は、ある収納部２９から搬送部１８に繰り出されたバラ紙幣について、方向特定手段３３０により特定されたバラ紙幣の天地方向または左右方向における向きに基づいて、ある向きのバラ紙幣を別の収納部２９（具体的には、入金一時保留部３０）に送るとともに別の向きのバラ紙幣を各収納部２９とは別の箇所（具体的には、整理一時保留部４０やバラ紙幣投出部２４）に送るよう搬送部１８を制御するようになっている。この場合には、天地方向または左右方向の向きが揃ったバラ紙幣を各収納部２９とは別の箇所（具体的には、整理一時保留部４０やバラ紙幣投出部２４）に送ることができるため、各収納部２９とは別の箇所に送られたバラ紙幣について天地方向または左右方向における向きが揃った状態で処理（具体的には、帯封部４２による帯封処理やバラ紙幣投出部２４による出金処理）を行うことができる。
【００９１】
また、本実施の形態の紙幣入出金装置１０（紙幣処理装置）においては、上述したように、搬送部１８には、当該搬送部１８により搬送されるバラ紙幣の表裏を反転させる表裏反転部２２が設けられており、表裏反転部２２によりバラ紙幣の表裏が反転させられる際にその天地方向または左右方向の向きが変えられるようになっている。また、収納部２９（具体的には、混合バラ紙幣収納部３２や各金種別バラ紙幣収納部３４）から搬送部１８に繰り出されたバラ紙幣の表裏の向きを特定する表裏特定手段３３２が設けられている。そして、制御部３００は、ある収納部２９から搬送部１８に繰り出された後に表裏反転部２２により反転させられたバラ紙幣について、方向特定手段３３０により特定されたバラ紙幣の天地方向または左右方向における向きならびに表裏特定手段３３２により特定されたバラ紙幣の表裏の向きに基づいて、表裏反転部２２により反転させられた後に天地方向または左右方向がある向きとなるバラ紙幣を別の収納部２９（具体的には、入金一時保留部３０）に送るとともに天地方向または左右方向が別の向きとなるバラ紙幣を各収納部２９とは別の箇所（具体的には、整理一時保留部４０やバラ紙幣投出部２４）に送るよう搬送部１８を制御するようになっている。この場合には、各収納部２９とは別の箇所に送られたバラ紙幣について表裏の向きが揃うとともに天地方向または左右方向における向きが揃った状態で処理（具体的には、帯封部４２による帯封処理やバラ紙幣投出部２４による出金処理）を行うことができるようになる。
【００９２】
また、本実施の形態の紙幣入出金装置１０（紙幣処理装置）においては、上述したように、各収納部２９とは別の箇所（具体的には、整理一時保留部４０やバラ紙幣投出部２４）に送られたバラ紙幣に関する処理が終了した後に、別の収納部２９（具体的には、入金一時保留部３０）に送られたバラ紙幣が元の収納部２９（具体的には、混合バラ紙幣収納部３２や各金種別バラ紙幣収納部３４）に戻されるようになっている。この場合には、元の収納部２９に戻されたバラ紙幣を再利用することができるようになる。
【００９３】
また、本実施の形態の紙幣入出金装置１０（紙幣処理装置）においては、上述したように、搬送部１８により搬送される紙幣をバラ識別する識別部２０が設けられており、方向特定手段３３０は、収納部２９（具体的には、混合バラ紙幣収納部３２や各金種別バラ紙幣収納部３４）から搬送部１８に繰り出されたバラ紙幣が識別部２０により識別されたときに当該識別部２０による識別結果に基づいてバラ紙幣の天地方向および左右方向のうち少なくともいずれかの方向における向きを特定するようになっている。
【００９４】
あるいは、収納部２９（具体的には、混合バラ紙幣収納部３２や各金種別バラ紙幣収納部３４）に収納されているバラ紙幣の天地方向および左右方向のうち少なくともいずれかの方向における向きに係る情報と、当該収納部２９へのバラ紙幣の収納順序とが関連付けられて記憶部３０６に記憶されるようになっており、方向特定手段３３０は、記憶部３０６に記憶されている情報に基づいて、収納部２９から搬送部１８に繰り出されたバラ紙幣の天地方向および左右方向のうち少なくともいずれかの方向における向きを特定するようになっていてもよい。この場合、例えばバラ紙幣の入金処理等において収納部２９にバラ紙幣を収納する際に、識別部２０により識別されたバラ紙幣が収納部２９に収納されるようになっており、識別部２０による識別結果に基づくバラ紙幣の天地方向および左右方向のうち少なくともいずれかの方向における向きに係る情報と、収納部２９への当該バラ紙幣の収納順序とが関連付けられて記憶部３０６に記憶されるようになっていてもよい。また、制御部３００は、ある収納部２９（具体的には、混合バラ紙幣収納部３２や各金種別バラ紙幣収納部３４）から搬送部１８に繰り出されたバラ紙幣について、記憶部３０６に記憶されている情報に基づいて、一方の向きのバラ紙幣および他方の向きのバラ紙幣のうち収納部２９に収納されている数の少ないバラ紙幣を別の収納部２９（具体的には、入金一時保留部３０）に送るとともに収納部２９に収納されている数の多いバラ紙幣を各収納部２９とは別の箇所（具体的には、整理一時保留部４０やバラ紙幣投出部２４）に送るよう搬送部１８を制御するようになっていてもよい。この場合には、別の収納部２９（具体的には、入金一時保留部３０）に送られるバラ紙幣の数を減らすことができ、よって別の収納部２９から元の収納部２９にバラ紙幣を戻す時間を短縮することができるようになる。
【００９５】
また、本実施の形態の紙幣入出金装置１０（紙幣処理装置）においては、上述したように、複数のバラ紙幣を帯封紙等の帯封媒体によって帯封することにより帯封紙幣を作成する帯封部４２と、帯封部４２により帯封されるべき紙幣が集積される整理一時保留部４０（集積部）とがそれぞれ設けられており、制御部３００は、バラ紙幣の振分整理処理を行う際に、ある収納部２９（具体的には、混合バラ紙幣収納部３２や各金種別バラ紙幣収納部３４）から搬送部１８に繰り出されたバラ紙幣について、方向特定手段３３０により特定されたバラ紙幣の天地方向または左右方向における向きに基づいて、ある向きのバラ紙幣を別の収納部２９（具体的には、入金一時保留部３０）に送るとともに別の向きのバラ紙幣を集積部としての整理一時保留部４０に送るよう搬送部１８を制御するようになっている。この場合には、帯封部４２により作成される帯封紙幣を構成する各バラ紙幣の天地方向または左右方向における向きを揃えることができる。また、この場合には、帯封部４２により作成された帯封紙幣は帯封紙幣収納部７０に収納されるようになっており、制御部３００に帯封紙幣を含む紙幣の払い出し指令が与えられたときに、帯封紙幣収納部７０に収納されている帯封紙幣が筐体１２の外部に投出されるようになっている。また、制御部３００は、バラ紙幣の精査処理を行うとき、所定の時刻となったとき、締め処理を行うとき、所定の条件が満たされたとき、制御部３００に振分整理処理の指令が与えられたときのうちいずれかのタイミングで紙幣の振分整理処理を行うようになっている。
【００９６】
また、本実施の形態の紙幣入出金装置１０（紙幣処理装置）においては、上述したように、搬送部１８から送られたバラ紙幣を筐体１２の外部に投出するバラ紙幣投出部２４が設けられており、制御部３００は、バラ紙幣の出金処理を行う際に、ある収納部２９（具体的には、混合バラ紙幣収納部３２や各金種別バラ紙幣収納部３４）から搬送部１８に繰り出されたバラ紙幣について、方向特定手段３３０により特定されたバラ紙幣の天地方向または左右方向における向きに基づいて、ある向きのバラ紙幣を別の収納部２９（具体的には、入金一時保留部３０）に送るとともに別の向きのバラ紙幣をバラ紙幣投出部２４に送るよう搬送部１８を制御するようになっている。この場合には、出金紙幣として筐体１２の外部に投出されるバラ紙幣の天地方向または左右方向における向きを揃えることができる。
【００９７】
なお、本実施の形態による紙幣入出金装置１０やこのような紙幣入出金装置１０によるバラ紙幣の処理方法は、上述したような態様に限定されることはなく、様々な変更を加えることができる。
【００９８】
例えば、本発明に係る紙幣入出金装置１０は、硬貨入出金装置１１０と組み合わせられることにより貨幣入出金機１を構成するようなものに限定されることはない。本発明に係る紙幣処理装置として、紙幣入出金装置１０が単体で用いられてもよい。この場合には、制御部３００や方向特定手段３３０、表裏特定手段３３２は紙幣入出金装置１０の筐体１２の内部に設けられるようになっていてもよい。
【００９９】
また、上述した貨幣入出金機１の紙幣入出金装置１０および上位端末等の外部装置３１０を組み合わせることにより本発明に係る紙幣処理システムが構成されるようになっていてもよい。この場合には、上位端末等の外部装置３１０は、紙幣入出金装置１０の管理を行う管理装置として機能するようになる。また、上記の説明では、紙幣入出金装置１０の収納部２９から搬送部１８に繰り出されたバラ紙幣の天地方向および左右方向のうち少なくともいずれかの方向における向きを特定する方向特定手段３３０や、ある収納部２９から搬送部１８に繰り出されたバラ紙幣について、方向特定手段３３０により特定されたバラ紙幣の天地方向または左右方向における向きに基づいて、ある向きのバラ紙幣を別の収納部２９に送るとともに別の向きのバラ紙幣を各収納部２９とは別の箇所に送るよう搬送部１８を制御する制御部３００が貨幣入出金機１に設けられている態様について述べたが、本発明に係る貨幣処理システムでは、管理装置としての外部装置３１０に、紙幣入出金装置１０の収納部２９から搬送部１８に繰り出されたバラ紙幣の天地方向および左右方向のうち少なくともいずれかの方向における向きを特定する方向特定手段、および方向特定手段により特定されたバラ紙幣の天地方向または左右方向における向きに基づいて、ある向きのバラ紙幣を別の収納部２９に送るとともに別の向きのバラ紙幣を各収納部２９とは別の箇所に送るよう搬送部１８を制御する制御部のうち少なくともいずれか一方、あるいは両方が設けられるようになっていてもよい。
【０１００】
また、本発明に係る紙幣処理装置として、図１１および図１２に示す紙幣処理装置が用いられてもよい。ここで、図１１は、変形例に係る紙幣処理装置の内部構成を概略的に示す概略構成図であり、図１２は、図１１に示す紙幣処理装置における制御系の構成を示す機能ブロック図である。
【０１０１】
図１１に示すように、変形例に係る紙幣処理装置３９０は、図１１（ａ）に示すようなバラ紙幣処理ユニット４００と、図１１（ｂ）に示すような束紙幣処理ユニット５００とを組み合わせたものとなっている。具体的には、バラ紙幣処理ユニット４００および束紙幣処理ユニット５００はそれぞれ略直方体形状のものとなっており、これらのバラ紙幣処理ユニット４００および束紙幣処理ユニット５００が左右に並ぶよう配置されることにより変形例に係る紙幣処理装置３９０が構成されている。バラ紙幣処理ユニット４００および束紙幣処理ユニット５００の各構成部材について以下に説明する。
【０１０２】
図１１（ａ）に示すように、バラ紙幣処理ユニット４００は略直方体形状の筐体４０２を有しており、このバラ紙幣処理ユニット４００には、外部から筐体４０２内にバラ紙幣を投入するための紙幣投入部４１０および筐体４０２内から外部にバラ紙幣を投出するためのバラ紙幣投出部４５２がそれぞれ設けられている。紙幣投入部４１０には紙幣繰出部４１２が設けられており、外部から紙幣投入部４１０に投入されたバラ紙幣は紙幣繰出部４１２により１枚ずつ筐体４０２内に繰り出されるようになっている。また、紙幣繰出部４１２には入金搬送部４１４が接続されており、紙幣繰出部４１２により筐体４０２内に繰り出されたバラ紙幣は入金搬送部４１４により１枚ずつ搬送されるようになっている。ここで、入金搬送部４１４には入金識別部４１６が設けられており、入金搬送部４１４により搬送されるバラ紙幣は入金識別部４１６によりその金種、真偽、表裏、正損、新旧、搬送状態等が識別されるようになっている。また、入金搬送部４１４によるバラ紙幣の搬送方向における入金識別部４１６の下流側には表裏反転部４１８が設けられており、入金識別部４１６により識別された紙幣は表裏反転部４１８によりその表裏が整えられるようになっている。具体的には、表裏反転部４１８に送られたバラ紙幣のうち、例えば裏面が上側となっているバラ紙幣のみの表裏が反転されることにより、この表裏反転部４１８から出されたバラ紙幣は全て表面（おもてめん）が上側となるようになる。また、表裏反転部４１８によりバラ紙幣の表裏が反転させられる際にその天地方向または左右方向の向きが変えられるようになっている。具体的には、入金搬送部４１４によりバラ紙幣がその短手方向に沿って搬送される場合には、表裏反転部４１８によりバラ紙幣の表裏が反転させられる際にその天地方向の向きが変えられるようになっている。また、入金搬送部４１４によりバラ紙幣がその長手方向に沿って搬送される場合には、表裏反転部４１８によりバラ紙幣の表裏が反転させられる際にその左右方向の向きが変えられるようになっている。
【０１０３】
また、入金搬送部４１４には入金リジェクト部４２０が接続されており、入金識別部４１６により正常な紙幣ではないと識別されたバラ紙幣、すなわちリジェクト紙幣が入金搬送部４１４から入金リジェクト部４２０に送られるようになっている。入金リジェクト部４２０はバラ紙幣処理ユニット４００の筐体４０２の外部からアクセス可能となっており、操作者はこの入金リジェクト部４２０に集積されたリジェクト紙幣を手動で取り出すことができるようになっている。
【０１０４】
また、図１１（ａ）に示すように、入金搬送部４１４には複数（例えば４つ）の一時保留部４３２が接続されている。ここで、複数の一時保留部４３２は入金搬送部４１４や後述する下部搬送部４４６に対して並列に並ぶよう配設されている。入金搬送部４１４から各一時保留部４３２に搬送されたバラ紙幣は、これらの一時保留部４３２において積層状態で集積されることにより一時的に保留されるようになっている。なお、各一時保留部４３２にはそれぞれ特定の金種のバラ紙幣が一時的に保留されるようになっている。
【０１０５】
また、各一時保留部４３２に対応して複数の紙幣収納庫４４２が設けられている。ここで、各紙幣収納庫４４２には、対応する一時保留部４３２から送られたバラ紙幣が積層状態で収納されるようになっている。なお、各紙幣収納庫４４２にはそれぞれ特定の金種のバラ紙幣が収納されるようになっている。具体的には、４つの紙幣収納庫４４２において左から順に例えば一万円紙幣、五千円紙幣、二千円紙幣および千円紙幣がそれぞれ収納されるようになっている。また、各紙幣収納庫４４２にはそれぞれ紙幣繰出部４４４が設けられており、これらの紙幣収納庫４４２からバラ紙幣が１枚ずつ紙幣繰出部４４４により繰り出されるようになっている。
【０１０６】
図１１および図１２に示すような変形例に係る紙幣処理装置３９０では、各一時保留部４３２および各紙幣収納庫４４２により、特許請求の範囲に係る複数の収納部が構成されている。
【０１０７】
また、図１１（ａ）に示すように、各紙幣繰出部４４４には下部搬送部４４６が接続されており、各紙幣繰出部４４４により紙幣収納庫４４２から繰り出されたバラ紙幣は下部搬送部４４６により１枚ずつ搬送されるようになっている。ここで、下部搬送部４４６には出金識別部４４８が接続されており、下部搬送部４４６により搬送されるバラ紙幣は出金識別部４４８によりその金種、真偽、表裏、正損、新旧、搬送状態等が識別されるようになっている。また、出金識別部４４８には出金搬送部４５０が接続されており、この出金識別部４４８により識別されたバラ紙幣は出金搬送部４５０により１枚ずつ搬送されるようになっている。
【０１０８】
図１１（ａ）に示すように、出金搬送部４５０にはバラ紙幣投出部４５２、出金リジェクト部４５４、２つの整理一時保留部４６０（特許請求の範囲における「集積部」に対応）がそれぞれ接続されており、出金識別部４４８により識別されたバラ紙幣のうち、筐体４０２の外部に投出されるべきバラ紙幣は出金搬送部４５０によりバラ紙幣投出部４５２に送られてこのバラ紙幣投出部４５２に集積されるようになっている。バラ紙幣投出部４５２はバラ紙幣処理ユニット４００の筐体４０２の外部からアクセス可能となっており、操作者はこのバラ紙幣投出部４５２に集積されたバラ紙幣を手動で取り出すことができるようになっている。また、出金識別部４４８により正常な紙幣ではないと識別されたバラ紙幣、すなわちリジェクト紙幣は出金搬送部４５０により出金リジェクト部４５４に送られるようになっている。また、出金リジェクト部４５４に集積されたリジェクト紙幣を取り出すにあたり、操作者はバラ紙幣処理ユニット４００の筐体４０２に設けられた扉を開いて出金リジェクト部４５４内のリジェクト紙幣を取り出すようになっている。また、出金識別部４４８により識別されたバラ紙幣のうち、束紙幣処理ユニット５００により帯封されるべきバラ紙幣は出金搬送部４５０により各整理一時保留部４６０に送られるようになっている。各整理一時保留部４６０では、出金搬送部４５０から送られたバラ紙幣が積層状態で集積されるようになっている。また、図１１（ａ）に示すように、出金識別部４４８により識別されたバラ紙幣を出金搬送部４５０により表裏反転部４１８に送ることができるようになっており、出金搬送部４５０により表裏反転部４１８に送られたバラ紙幣は入金搬送部４１４により各一時保留部４３２に搬送されるようになっている。
【０１０９】
図１１（ａ）に示すように、入金搬送部４１４や出金搬送部４５０における分岐箇所には分岐部材４７０がそれぞれ設けられており、これらの分岐部材４７０により分岐箇所におけるバラ紙幣の搬送先が決められるようになっている。また、入金搬送部４１４、下部搬送部４４６、出金搬送部４５０にはバラ紙幣の検出を行う紙幣検出センサ４８０が複数設けられている。また、本実施の形態では、出金搬送部４５０における、出金識別部４４８と各整理一時保留部４６０との間には、紙幣厚さ検知センサ４８２および半券検知センサ４８４がそれぞれ設けられている。また、半券検知センサ４８４は、バラ紙幣投出部４５２への入口部分である出金搬送部４５０にも設けられている。
【０１１０】
図１１（ｂ）に示すように、束紙幣処理ユニット５００は略直方体形状の筐体５０２を有しており、この束紙幣処理ユニット５００の筐体５０２内には、整理一時保留部４６０に集積された紙幣束を取り出すためのアーム部５１０と、アーム部５１０により取り出された紙幣束を帯封するための帯封部５１２とがそれぞれ設けられている。アーム部５１０により整理一時保留部４６０から取り出された紙幣束は帯封部５１２に送られて当該帯封部５１２により帯封されるようになっている。具体的には、帯封部５１２の近傍にはテープセット部５１４が設けられており、このテープセット部５１４から帯封紙が帯封部５１２に送られることによって、帯封部５１２において例えば１００枚の紙幣束が帯封紙により結束されるようになっている。帯封部５１２には第１帯封紙幣搬送部５１６が接続されており、帯封部５１２により帯封された帯封紙幣は第１帯封紙幣搬送部５１６により帯封紙幣投出部５１８に搬送されるようになっている。帯封紙幣投出部５１８は束紙幣処理ユニット５００の筐体５０２の外部からアクセス可能となっており、操作者はこの帯封紙幣投出部５１８に送られた帯封紙幣を手動で取り出すことができるようになっている。
【０１１１】
また、図１１（ｂ）に示すように、帯封紙幣投出部５１８には第２帯封紙幣搬送部５２０やリフト部５２４が接続されている。第２帯封紙幣搬送部５２０には帯封紙幣判別部５２２が設けられており、この帯封紙幣判別部５２２は、帯封紙幣投出部５１８から第２帯封紙幣搬送部５２０に送られた帯封紙幣の金種等の判別を行うようになっている。また、第２帯封紙幣搬送部５２０には複数の帯封紙幣収納カセット５３０が接続されており、帯封部５１２により帯封された帯封紙幣のうち、帯封紙幣投出部５１８により筐体５０２の外部に投出されない帯封紙幣は第２帯封紙幣搬送部５２０により各帯封紙幣収納カセット５３０に金種別に収納されるようになっている。また、各帯封紙幣収納カセット５３０にはカセット駆動部５３２が設けられており、これらのカセット駆動部５３２により、各帯封紙幣収納カセット５３０に収納された帯封紙幣が第２帯封紙幣搬送部５２０に繰り出されるようになっている。各帯封紙幣収納カセット５３０から第２帯封紙幣搬送部５２０に繰り出された帯封紙幣は帯封紙幣投出部５１８に送られ、この帯封紙幣投出部５１８から筐体５０２の外部に投出される。また、第１帯封紙幣搬送部５１６から帯封紙幣投出部５１８に送られた帯封紙幣はリフト部５２４により図１１（ｂ）における上下方向に搬送可能となっている。ここで、リフト部５２４の下部にも回収用の開口が設けられており、リフト部５２４により下部に搬送された帯封紙幣はこの開口から筐体５０２の外部に投出可能となっている。
【０１１２】
また、図１１に示すような変形例に係る紙幣処理装置３９０には、当該紙幣処理装置３９０のバラ紙幣処理ユニット４００および束紙幣処理ユニット５００の各構成部材の制御を行う制御部６００が設けられている。より詳細には、図１２に示すように、制御部６００にはバラ紙幣処理ユニット４００の各構成部材（具体的には、紙幣繰出部４１２、入金搬送部４１４、入金識別部４１６、表裏反転部４１８、一時保留部４３２、紙幣繰出部４４４、下部搬送部４４６、出金識別部４４８、出金搬送部４５０、分岐部材４７０、各種センサ４８０、４８２、４８４）および束紙幣処理ユニット５００の各構成部材（具体的には、アーム部５１０、帯封部５１２、テープセット部５１４、第１帯封紙幣搬送部５１６、帯封紙幣投出部５１８、第２帯封紙幣搬送部５２０、帯封紙幣判別部５２２、リフト部５２４、カセット駆動部５３２）がそれぞれ接続されている。そして、バラ紙幣処理ユニット４００の入金識別部４１６や出金識別部４４８によるバラ紙幣の識別結果に係る情報や、各種センサ４８０、４８２、４８４によるバラ紙幣の検知結果に係る情報、ならびに帯封紙幣判別部５２２による帯封紙幣の金種等の判別結果に係る情報等が制御部６００に送られるようになっている。また、制御部６００は、バラ紙幣処理ユニット４００および束紙幣処理ユニット５００の各構成部材に指令信号を送ることによりこれらの構成部材の制御を行うようになっている。
【０１１３】
また、図１２に示すように、変形例に係る紙幣処理装置３９０において、制御部６００には表示部６１２、操作部６１４、記憶部６１６、印字部６１８および通信インターフェース部６２０がそれぞれ接続されている。表示部６１２は例えばバラ紙幣処理ユニット４００の筐体４０２や束紙幣処理ユニット５００の筐体５０２の前面や上面に設けられたモニタ等からなり、バラ紙幣処理ユニット４００や束紙幣処理ユニット５００による紙幣の処理状況や、各紙幣収納庫４４２に収納されているバラ紙幣の在高等に関する情報、および各帯封紙幣収納カセット５３０に収納されている帯封紙幣の在高等に関する情報が表示部６１２に表示されるようになっている。また、操作部６１４は例えばキーボードや操作キー等からなり、操作者はこの操作部６１４により制御部６００に対して様々な指令を与えることができるようになっている。なお、表示部６１２および操作部６１４がそれぞれ設けられる代わりに、表示部６１２および操作部６１４の機能が一体化されたタッチパネル等の操作表示部がバラ紙幣処理ユニット４００の筐体４０２や束紙幣処理ユニット５００の筐体５０２の前面や上面に設けられていてもよい。
【０１１４】
記憶部６１６には、バラ紙幣処理ユニット４００や束紙幣処理ユニット５００による紙幣の処理履歴や、各紙幣収納庫４４２に収納されているバラ紙幣の在高等に関する情報、および各帯封紙幣収納カセット５３０に収納されている帯封紙幣の在高等に関する情報が記憶されるようになっている。また、印字部６１８は、バラ紙幣処理ユニット４００や束紙幣処理ユニット５００による紙幣の処理履歴や、各紙幣収納庫４４２に収納されているバラ紙幣の在高等に関する情報、および各帯封紙幣収納カセット５３０に収納されている帯封紙幣の在高等に関する情報をレシート等に印字するようになっている。また、制御部６００は通信インターフェース部６２０を介して変形例に係る紙幣処理装置３９０とは別に設けられた外部装置６２２（具体的には、例えば上位端末）に対して信号の送受信を行うことができるようになっている。
【０１１５】
また、図１２に示すように、制御部６００には、各紙幣繰出部４４４により各紙幣収納庫４４２から下部搬送部４４６に繰り出されたバラ紙幣の天地方向および左右方向のうち少なくともいずれかの方向における向きを特定する方向特定手段６３０が接続されている。方向特定手段６３０は、図１乃至図１０に示すような紙幣入出金装置１０に設けられた方向特定手段３３０と同様の機能を有している。より詳細には、方向特定手段６３０は、各紙幣繰出部４４４により各紙幣収納庫４４２から下部搬送部４４６に繰り出されたバラ紙幣が出金識別部４４８により識別されたときに当該出金識別部４４８による識別結果に基づいてバラ紙幣の天地方向および左右方向のうち少なくともいずれかの方向における向きを特定するようになっている。あるいは、各紙幣収納庫４４２に収納される前のバラ紙幣が入金識別部４１６により識別されたときに、入金識別部４１６による識別結果に基づく、各紙幣収納庫４４２に収納されているバラ紙幣の天地方向および左右方向のうち少なくともいずれかの方向における向きに係る情報と、各紙幣収納庫４４２へのバラ紙幣の収納順序とが関連付けて記憶部６１６に記憶されるようになっており、方向特定手段６３０は、記憶部６１６に記憶されている情報に基づいて、各紙幣繰出部４４４により各紙幣収納庫４４２から下部搬送部４４６に繰り出されたバラ紙幣の天地方向および左右方向のうち少なくともいずれかの方向における向きを特定するようになっていてもよい。
【０１１６】
次に、図１１等に示すような変形例に係る紙幣処理装置３９０の動作（具体的には、バラ紙幣の入金処理、出金処理および振分整理処理）について説明する。なお、以下に示すような動作は制御部６００が紙幣処理装置３９０におけるバラ紙幣処理ユニット４００や束紙幣処理ユニット５００の各構成部材を制御することにより行われるようになっている。
【０１１７】
まず、紙幣処理装置３９０においてバラ紙幣の入金処理が行われる際の動作について説明する。紙幣処理装置３９０においてバラ紙幣の入金処理を行うにあたり、操作者が操作部６１４により操作者ＩＤの入力を行うと、貨幣の処理内容を選択するためのメニュー画面が表示部６１２に表示されるようになる。そして、操作者が貨幣の処理内容として入金処理を操作部６１４により選択することによりバラ紙幣の入金処理開始の指令を制御部６００に与えた後、紙幣投入部４１０に１または複数のバラ紙幣を積層状態で投入すると、紙幣投入部４１０に投入されたバラ紙幣は１枚ずつ紙幣繰出部４１２により筐体４０２の内部に繰り出され、この繰り出されたバラ紙幣は入金搬送部４１４により入金識別部４１６に搬送される。そして、入金識別部４１６によりバラ紙幣の金種、真偽、表裏、正損、新旧、搬送状態等が識別された後、表裏反転部４１８によりその表裏が揃うように反転させられる。
【０１１８】
その後、入金識別部４１６により正常な紙幣であると識別されたバラ紙幣は入金搬送部４１４により各一時保留部４３２に金種毎に送られ、各一時保留部４３２に保留される。ここで、各一時保留部４３２に送られる前のバラ紙幣は表裏反転部４１８によりその表裏が揃うように反転させられるため、各一時保留部４３２に保留されるバラ紙幣はその表裏が揃ったものとなる。一方、入金識別部４１６により正常ではないと識別されたバラ紙幣や入金識別部４１６により識別することができなかったバラ紙幣はリジェクト紙幣として入金リジェクト部４２０に送られる。また、操作者は入金リジェクト部４２０からリジェクト紙幣を取り出して紙幣投入部４１０に再投入等することができるようになっている。
【０１１９】
そして、紙幣投入部４１０に投入されたバラ紙幣が全て筐体４０２の内部に繰り出されて各一時保留部４３２等に送られることにより紙幣投入部４１０にバラ紙幣が存在しなくなると、表示部６１２には入金確定の指令を操作者に求める画面が表示されるようになる。その後、操作者が操作部６１４により入金確定の指令を入力すると、入金されたバラ紙幣の明細書が発行されるとともに、各一時保留部４３２の内部に一時的に保留されているバラ紙幣が各紙幣収納庫４４２に金種毎に送られ、これらの紙幣収納庫４４２に収納されるようになる。ここで、各一時保留部４３２に保留されるバラ紙幣はその表裏が揃ったものとなっているため、各紙幣収納庫４４２に収納されるバラ紙幣もその表裏が揃ったものとなる。また、本実施の形態では入金識別部４１６によるバラ紙幣の識別結果に基づくバラ紙幣の天地方向および左右方向のうち少なくともいずれかの方向における向きに係る情報と、各紙幣収納庫４４２へのバラ紙幣の収納順序（すなわち、何番目に各紙幣収納庫４４２に収納されたかという情報）とが関連付けて記憶部６１６に記憶されるようになる。そして、各一時保留部４３２に保留されているバラ紙幣が全て各紙幣収納庫４４２に振り分けられると、紙幣処理装置３９０におけるバラ紙幣の入金処理の一連の動作が完了する。
【０１２０】
一方、表示部６１２に入金確定の指令を操作者に求める画面が表示されているときに、操作者が操作部６１４により入金確定の指令ではなく返却の指令を入力すると、各一時保留部４３２が設けられた本体部分を筐体４０２の外部に引き出すことができるようになる。そして、操作者がこのような本体部分を筐体４０２の外部に引き出した後、各一時保留部４３２からバラ紙幣を取り出すことにより、各一時保留部４３２に保留されているバラ紙幣が筐体４０２の外部に返却されるようになる。
【０１２１】
次に、紙幣処理装置３９０においてバラ紙幣の出金処理が行われる際の動作について説明する。紙幣処理装置３９０においてバラ紙幣の出金処理を行うにあたり、操作者が操作部６１４により操作者ＩＤの入力を行うと、貨幣の処理内容を選択するためのメニュー画面が表示部６１２に表示されるようになる。そして、操作者が貨幣の処理内容として出金処理を操作部６１４により選択した後、出金されるべきバラ紙幣の金種毎の枚数または合計金額を操作部６１４により入力すると、出金されるべきバラ紙幣の金種に対応する各紙幣収納庫４４２からバラ紙幣が各紙幣繰出部４４４により下部搬送部４４６に繰り出され、この繰り出されたバラ紙幣は下部搬送部４４６により出金識別部４４８に送られる。そして、出金識別部４４８に送られたバラ紙幣は当該出金識別部４４８によりその搬送状態等が識別され、正常な紙幣であると識別されたバラ紙幣は出金搬送部４５０によりバラ紙幣投出部４５２に送られる。一方、出金識別部４４８により正常な紙幣ではないと識別されたバラ紙幣（例えば、搬送異常のバラ紙幣）は出金搬送部４５０により出金リジェクト部４５４に送られ、この出金リジェクト部４５４に集積されるようになる。そして、出金されるべきバラ紙幣が全て各紙幣収納庫４４２から繰り出されてバラ紙幣投出部４５２に送られると、操作者はバラ紙幣投出部４５２から出金紙幣を筐体４０２の外部に取り出すことができるようになる。
【０１２２】
次に、紙幣処理装置３９０においてバラ紙幣の振分整理処理が行われる際の動作について説明する。紙幣処理装置３９０においてバラ紙幣の振分整理処理を行うにあたり、操作者が操作部６１４により操作者ＩＤの入力を行うと、貨幣の処理内容を選択するためのメニュー画面が表示部６１２に表示されるようになる。そして、操作者が操作部６１４により貨幣の処理内容として精査処理を選択すると、各紙幣収納庫４４２に収納されているバラ紙幣の精査処理が行われる。ここで、バラ紙幣の精査処理とは、各紙幣収納庫４４２から紙幣繰出部４４４によりバラ紙幣を繰り出して出金識別部４４８により識別させた後に、当該バラ紙幣が元々収納されていた紙幣収納庫４４２に対応する一時保留部４３２に戻し、そして、紙幣収納庫４４２から全て一時保留部４３２に紙幣が送られると一時保留部４３２から紙幣収納庫４４２にバラ紙幣を戻すことにより、各紙幣収納庫４４２に収納されているバラ紙幣の在高を確認するような処理のことをいう。
【０１２３】
このようなバラ紙幣の精査処理が行われる際に、各紙幣収納庫４４２に所定枚数（例えば、１００枚）以上のバラ紙幣が収納されている場合には、各紙幣収納庫４４２から各紙幣繰出部４４４により繰り出されたバラ紙幣は出金搬送部４５０により整理一時保留部４６０に送られるようになる。そして、所定枚数のバラ紙幣が整理一時保留部４６０に送られると、整理一時保留部４６０に集積されている所定枚数のバラ紙幣がアーム部５１０により整理一時保留部４６０から取り出されて帯封部５１２に送られ、この帯封部５１２により帯封される。このようにして帯封紙幣が作成される。帯封部５１２により作成された帯封紙幣は第１帯封紙幣搬送部５１６および第２帯封紙幣搬送部５２０により各帯封紙幣収納カセット５３０に金種毎に収納される。
【０１２４】
図１１および図１２に示すような変形例に係る紙幣処理装置３９０でも、図１乃至図１０に示すような紙幣入出金装置１０と同様に、バラ紙幣の出金処理や振分整理処理が行われる際に、バラ紙幣投出部４５２や整理一時保留部４６０に集積される複数のバラ紙幣の天地方向または左右方向の向きが揃ったものとなるよう、各紙幣収納庫４４２から各紙幣繰出部４４４により下部搬送部４４６に繰り出されたバラ紙幣はその天地方向または左右方向の向きに応じてその搬送先が振り分けられるようになっている。具体的には、各紙幣収納庫４４２から各紙幣繰出部４４４により下部搬送部４４６に繰り出されたバラ紙幣の天地方向および左右方向のうち少なくともいずれかの方向における向きが方向特定手段６３０によって特定されるようになっている。また、制御部６００は、各紙幣収納庫４４２から各紙幣繰出部４４４により下部搬送部４４６に繰り出されたバラ紙幣について、方向特定手段６３０により特定されたバラ紙幣の天地方向または左右方向における向きに基づいて、ある向きのバラ紙幣を、当該バラ紙幣が元々収納されていた紙幣収納庫４４２に対応する一時保留部４３２に送るとともに別の向きの紙幣を一時保留部４３２とは別の箇所（具体的には、バラ紙幣投出部４５２や整理一時保留部４６０）に送るよう出金搬送部４５０を制御するようになっている。このような動作の詳細について以下に説明する。
【０１２５】
まず、入金搬送部４１４、下部搬送部４４６および出金搬送部４５０によりバラ紙幣がその短手方向に沿って搬送される場合について説明する。入金搬送部４１４、下部搬送部４４６および出金搬送部４５０によりバラ紙幣がその短手方向に沿って搬送される場合には、操作者は紙幣投入部４１０にバラ紙幣をその短手方向に沿って投入するようになる。また、入金搬送部４１４から各一時保留部４３２にバラ紙幣がその短手方向に沿って送られるようになる。一方、各紙幣収納庫４４２からバラ紙幣が各紙幣繰出部４４４により下部搬送部４４６に繰り出される際に、バラ紙幣はその短手方向に沿って繰り出されるようになる。
【０１２６】
入金搬送部４１４、下部搬送部４４６および出金搬送部４５０によりバラ紙幣がその短手方向に沿って搬送される場合には、上述したバラ紙幣の入金処理が行われる際に、入金識別部４１６によりバラ紙幣の表裏および天地方向における向きが識別されるようになる。上述したように、バラ紙幣の入金処理が行われる際に、このような入金識別部４１６により識別されたバラ紙幣の表裏および天地方向における向きの組合せに係る情報は、各紙幣収納庫４４２へのバラ紙幣の収納順序と関連付けられて記憶部６１６に記憶されるようになる。すなわち、各紙幣収納庫４４２に収納されているバラ紙幣について、下から何番目のバラ紙幣がどの向きであるかという情報が記憶部６１６に記憶されるようになる。なお、上述したように、バラ紙幣の入金処理が行われる際に、入金識別部４１６によりバラ紙幣の金種、真偽、表裏、正損、新旧、搬送状態等が識別された後、表裏反転部４１８によりその表裏が揃うようにバラ紙幣が反転させられることによって、各紙幣収納庫４４２に収納されるバラ紙幣の表裏の向きが揃うようになる。
【０１２７】
その後、紙幣処理装置３９０においてバラ紙幣の出金処理や振分整理処理が行われる際に、各紙幣収納庫４４２から各紙幣繰出部４４４により下部搬送部４４６に繰り出されたバラ紙幣の天地方向における向きが方向特定手段６３０によって特定される。より詳細には、方向特定手段６３０は、記憶部６１６に記憶されている情報および各紙幣収納庫４４２から各紙幣繰出部４４４により下部搬送部４４６にバラ紙幣が繰り出された順番に基づいて、各紙幣収納庫４４２から各紙幣繰出部４４４により下部搬送部４４６に繰り出されたバラ紙幣の天地方向における向きを特定するようになる。あるいは、方向特定手段６３０は、各紙幣繰出部４４４により各紙幣収納庫４４２から下部搬送部４４６に繰り出されたバラ紙幣が出金識別部４４８により識別されたときに当該出金識別部４４８による識別結果に基づいてバラ紙幣の天地方向における向きを特定するようになっていてもよい。
【０１２８】
そして、バラ紙幣の振分整理処理が行われる場合には、各紙幣収納庫４４２から各紙幣繰出部４４４により下部搬送部４４６に繰り出されたバラ紙幣は出金識別部４４８により識別されるが、方向特定手段６３０により特定されたバラ紙幣の天地方向における向きが搬送方向に対して正の向きであるようなバラ紙幣は、出金搬送部４５０により整理一時保留部４６０に送られるようになる。このようにして天地方向における向きが搬送方向に対して正の向きであるバラ紙幣のみが帯封部５１２により帯封されて帯封紙幣が作成される。上述したように、帯封部５１２により作成された帯封紙幣は各帯封紙幣収納カセット５３０に金種毎に収納されるようになる。一方、出金識別部４４８により識別されたバラ紙幣について、天地方向における向きが搬送方向に対して逆の向きであるようなバラ紙幣は、当該バラ紙幣が元々収納されていた紙幣収納庫４４２に対応する一時保留部４３２に送られるようになる。このことにより、天地方向における向きが搬送方向に対して逆の向きであるバラ紙幣が一時保留部４３２に集積されるようになる。また、出金識別部４４８により識別されたバラ紙幣の金種が、帯封部５１２により帯封されるべきバラ紙幣の金種と異なる場合にも、当該バラ紙幣は、このバラ紙幣が元々収納されていた紙幣収納庫４４２に対応する一時保留部４３２に送られるようになる。
【０１２９】
このようなバラ紙幣の振分整理処理は、各紙幣収納庫４４２が空状態となるか、各帯封紙幣収納カセット５３０に収納されている帯封紙幣がフル状態またはニアフル状態となるか、各一時保留部４３２に集積されたバラ紙幣の枚数が所定数に達したか、またはバラ紙幣の出金処理等の別の処理が開始されるまで行われる。そして、バラ紙幣の振分整理処理が完了すると、各一時保留部４３２に保留されているバラ紙幣が元の各紙幣収納庫４４２に戻されるようになる。このようにして、帯封部５１２により帯封されるバラ紙幣に対して天地方向における向きが異なるようなバラ紙幣は元の各紙幣収納庫４４２に戻されるようになる。
【０１３０】
また、バラ紙幣の出金処理が行われる場合には、各紙幣収納庫４４２から各紙幣繰出部４４４により下部搬送部４４６に繰り出されたバラ紙幣は出金識別部４４８により識別されるが、方向特定手段６３０により特定されたバラ紙幣の天地方向における向きが搬送方向に対して正の向きであるようなバラ紙幣は、出金搬送部４５０によりバラ紙幣投出部４５２に送られるようになる。このようにして天地方向における向きが搬送方向に対して正の向きであるバラ紙幣のみがバラ紙幣投出部４５２に集積されるようになる。一方、出金識別部４４８により識別されたバラ紙幣について、天地方向における向きが搬送方向に対して逆の向きであるようなバラ紙幣は、当該バラ紙幣が元々収納されていた紙幣収納庫４４２に対応する一時保留部４３２に送られるようになる。このことにより、天地方向における向きが搬送方向に対して逆の向きであるバラ紙幣が一時保留部４３２に集積されるようになる。また、出金識別部４４８により正常な紙幣ではないと識別されたバラ紙幣（例えば、搬送異常のバラ紙幣）は出金リジェクト部４５４に送られ、この出金リジェクト部４５４に集積されるようになる。このことにより、操作者は天地方向における向きが揃ったバラ紙幣を出金紙幣としてバラ紙幣投出部４５２から筐体４０２の外部に取り出すことができるようになる。
【０１３１】
次に、入金搬送部４１４、下部搬送部４４６および出金搬送部４５０によりバラ紙幣がその長手方向に沿って搬送される場合について説明する。入金搬送部４１４、下部搬送部４４６および出金搬送部４５０によりバラ紙幣がその長手方向に沿って搬送される場合には、操作者は紙幣投入部４１０にバラ紙幣をその長手方向に沿って投入するようになる。また、入金搬送部４１４から各一時保留部４３２にバラ紙幣がその長手方向に沿って送られるようになる。一方、各紙幣収納庫４４２からバラ紙幣が各紙幣繰出部４４４により下部搬送部４４６に繰り出される際に、バラ紙幣はその長手方向に沿って繰り出されるようになる。
【０１３２】
入金搬送部４１４、下部搬送部４４６および出金搬送部４５０によりバラ紙幣がその長手方向に沿って搬送される場合には、上述したバラ紙幣の入金処理が行われる際に、入金識別部４１６によりバラ紙幣の表裏および左右方向における向きが識別されるようになる。上述したように、バラ紙幣の入金処理が行われる際に、このような入金識別部４１６により識別されたバラ紙幣の表裏および左右方向における向きの組合せに係る情報は、各紙幣収納庫４４２へのバラ紙幣の収納順序と関連付けられて記憶部６１６に記憶されるようになる。すなわち、各紙幣収納庫４４２に収納されているバラ紙幣について、下から何番目のバラ紙幣がどの向きであるかという情報が記憶部６１６に記憶されるようになる。なお、上述したように、バラ紙幣の入金処理が行われる際に、入金識別部４１６によりバラ紙幣の金種、真偽、表裏、正損、新旧、搬送状態等が識別された後、表裏反転部４１８によりその表裏が揃うようにバラ紙幣が反転させられることによって、各紙幣収納庫４４２に収納されるバラ紙幣の表裏の向きが揃うようになる。
【０１３３】
その後、紙幣処理装置３９０においてバラ紙幣の出金処理や振分整理処理が行われる際に、各紙幣収納庫４４２から各紙幣繰出部４４４により下部搬送部４４６に繰り出されたバラ紙幣の左右方向における向きが方向特定手段６３０によって特定される。より詳細には、方向特定手段６３０は、記憶部６１６に記憶されている情報および各紙幣収納庫４４２から各紙幣繰出部４４４により下部搬送部４４６にバラ紙幣が繰り出された順番に基づいて、各紙幣収納庫４４２から各紙幣繰出部４４４により下部搬送部４４６に繰り出されたバラ紙幣の左右方向における向きを特定するようになる。あるいは、方向特定手段６３０は、各紙幣繰出部４４４により各紙幣収納庫４４２から下部搬送部４４６に繰り出されたバラ紙幣が出金識別部４４８により識別されたときに当該出金識別部４４８による識別結果に基づいてバラ紙幣の左右方向における向きを特定するようになっていてもよい。
【０１３４】
そして、バラ紙幣の振分整理処理が行われる場合には、各紙幣収納庫４４２から各紙幣繰出部４４４により下部搬送部４４６に繰り出されたバラ紙幣は出金識別部４４８により識別されるが、方向特定手段６３０により特定されたバラ紙幣の左右方向における向きが、バラ紙幣に描かれた肖像がバラ紙幣の搬送方向において先行するようなバラ紙幣は、出金搬送部４５０により整理一時保留部４６０に送られるようになる。このようにして左右方向における向きが、バラ紙幣に描かれた肖像がバラ紙幣の搬送方向において先行するようなバラ紙幣のみが帯封部５１２により帯封されて帯封紙幣が作成される。上述したように、帯封部５１２により作成された帯封紙幣は各帯封紙幣収納カセット５３０に金種毎に収納されるようになる。一方、出金識別部４４８により識別されたバラ紙幣について、左右方向における向きが、バラ紙幣に描かれた肖像がバラ紙幣の搬送方向において先行しないようなバラ紙幣は、当該バラ紙幣が元々収納されていた紙幣収納庫４４２に対応する一時保留部４３２に送られるようになる。このことにより、左右方向における向きが、バラ紙幣に描かれた肖像がバラ紙幣の搬送方向において先行しないようなバラ紙幣が一時保留部４３２に集積されるようになる。また、出金識別部４４８により識別されたバラ紙幣の金種が、帯封部５１２により帯封されるべきバラ紙幣の金種と異なる場合にも、当該バラ紙幣は、このバラ紙幣が元々収納されていた紙幣収納庫４４２に対応する一時保留部４３２に送られるようになる。そして、バラ紙幣の振分整理処理が完了すると、各一時保留部４３２に保留されているバラ紙幣が元の各紙幣収納庫４４２に戻されるようになる。このようにして、帯封部５１２により帯封されるバラ紙幣に対して左右方向における向きが異なるようなバラ紙幣は元の各紙幣収納庫４４２に戻されるようになる。
【０１３５】
また、バラ紙幣の出金処理が行われる場合には、各紙幣収納庫４４２から各紙幣繰出部４４４により下部搬送部４４６に繰り出されたバラ紙幣は出金識別部４４８により識別されるが、方向特定手段６３０により特定されたバラ紙幣の左右方向における向きが、バラ紙幣に描かれた肖像がバラ紙幣の搬送方向において先行するようなバラ紙幣は、出金搬送部４５０によりバラ紙幣投出部４５２に送られるようになる。このようにして左右方向における向きが、バラ紙幣に描かれた肖像がバラ紙幣の搬送方向において先行するようなバラ紙幣のみがバラ紙幣投出部４５２に集積されるようになる。一方、出金識別部４４８により識別されたバラ紙幣について、左右方向における向きが、バラ紙幣に描かれた肖像がバラ紙幣の搬送方向において先行しないようなバラ紙幣は、当該バラ紙幣が元々収納されていた紙幣収納庫４４２に対応する一時保留部４３２に送られるようになる。このことにより、左右方向における向きが、バラ紙幣に描かれた肖像がバラ紙幣の搬送方向において先行しないようなバラ紙幣が一時保留部４３２に集積されるようになる。また、出金識別部４４８により正常な紙幣ではないと識別されたバラ紙幣（例えば、搬送異常のバラ紙幣）は出金リジェクト部４５４に送られ、この出金リジェクト部４５４に集積されるようになる。このことにより、操作者は天地方向における向きが揃ったバラ紙幣を出金紙幣としてバラ紙幣投出部４５２から筐体４０２の外部に取り出すことができるようになる。
【０１３６】
以上のように、図１１および図１２に示すような変形例に係る紙幣処理装置３９０によれば、図１乃至図１０に示すような紙幣入出金装置１０と同様に、各紙幣収納庫４４２から各紙幣繰出部４４４により下部搬送部４４６に繰り出されたバラ紙幣の天地方向および左右方向のうち少なくともいずれかの方向における向きを特定する方向特定手段６３０が設けられており、制御部６００は、ある紙幣収納庫４４２から下部搬送部４４６に繰り出されたバラ紙幣について、方向特定手段６３０により特定されたバラ紙幣の天地方向または左右方向における向きに基づいて、ある向きのバラ紙幣を別の収納部（具体的には、各一時保留部４３２）に送るとともに別の向きのバラ紙幣を各収納部とは別の箇所（具体的には、整理一時保留部４６０やバラ紙幣投出部４５２）に送るよう出金搬送部４５０を制御するようになっている。この場合には、天地方向または左右方向の向きが揃ったバラ紙幣を各収納部とは別の箇所（具体的には、整理一時保留部４６０やバラ紙幣投出部４５２）に送ることができるため、各収納部とは別の箇所に送られたバラ紙幣について天地方向または左右方向における向きが揃った状態で処理（具体的には、帯封部５１２による帯封処理やバラ紙幣投出部４５２による出金処理）を行うことができる。
【符号の説明】
【０１３７】
１        貨幣入出金機
１０      紙幣入出金装置
１２      筐体
１２ａ    下部扉
１３      引出ユニット
１４      投入部
１６      繰出部
１８      搬送部
２０      識別部
２２      表裏反転部
２４      バラ紙幣投出部
２４ａ    シャッター
２４ｂ    シャッター駆動部
２６      出金リジェクト部
２９      収納部
３０      入金一時保留部
３０ａ    ステージ
３０ｂ    紙幣繰出繰入部
３２      混合バラ紙幣収納部
３２ａ    ステージ
３２ｂ    紙幣繰出繰入部
３４      金種別バラ紙幣収納部
３４ａ    ステージ
３４ｂ    紙幣繰出繰入部
４０      整理一時保留部
４２      帯封部
４４      アーム機構
４６      帯封紙幣揚送部
４６ａ    ステージ
４８      帯封紙幣投出部
４８ａ    シャッター
４８ｂ    シャッター駆動部
５０      ロック機構
６０      帯封紙幣搬送部
６０ａ    突起
６０ｂ    循環ベルト
６２      判別部
７０      帯封紙幣収納部
７０ａ    ステージ
１１０    硬貨入出金装置
３００    制御部
３０２    操作表示部
３０４    印字部
３０６    記憶部
３０８    通信インターフェース部
３１０    外部装置
３３０    方向特定手段
３３２    表裏特定手段
３９０    紙幣処理装置
４００    バラ紙幣処理ユニット
４０２    筐体
４１０    紙幣投入部
４１２    紙幣繰出部
４１４    入金搬送部
４１６    入金識別部
４１８    表裏反転部
４２０    入金リジェクト部
４３２    一時保留部
４４２    紙幣収納庫
４４４    紙幣繰出部
４４６    下部搬送部
４４８    出金識別部
４５０    出金搬送部
４５２    バラ紙幣投出部
４５４    出金リジェクト部
４６０    整理一時保留部
４７０    分岐部材
４８０    紙幣検出センサ
４８２    紙幣厚さ検知センサ
４８４    半券検知センサ
５００    束紙幣処理ユニット
５０２    筐体
５１０    アーム部
５１２    帯封部
５１４    テープセット部
５１６    第１帯封紙幣搬送部
５１８    帯封紙幣投出部
５２０    第２帯封紙幣搬送部
５２２    帯封紙幣判別部
５２４    リフト部
５３０    帯封紙幣収納カセット
５３２    カセット駆動部
６００    制御部
６１２    表示部
６１４    操作部
６１６    記憶部
６１８    印字部
６２０    通信インターフェース部
６２２    外部装置
６３０    方向特定手段
【図１】
2018005485.tif 000003
【図２】
2018005485.tif 000004
【図３】
2018005485.tif 000005
【図４】
2018005485.tif 000006
【図５】
2018005485.tif 000007
【図６】
2018005485.tif 000008
【図７】
2018005485.tif 000009
【図８】
2018005485.tif 000010
【図９】
2018005485.tif 000011
【図１０】
2018005485.tif 000012
【図１１】
2018005485.tif 000013
【図１２】
2018005485.tif 000014